(57)【要約】【課題】パッドを着用者の肌に密着させることができ、パッドに排泄物を確実に吸収保持させることができるオープン型の使い捨ておむつを提供する。【解決手段】おむつ２０Ａの股下域２２の横方向中央には、コア２６を除く表裏面シート２４，２５から形成された縦方向へ延びるパッド配置部３９が設けられている。配置部３９は、その後端縁から二股に分かれてテープファスナ３２に向かって延びる一対の延長部分４３を有する。おむつ２０Ａでは、その着用時と着用中にサイドフラップ３０Ｂに作用する横方向外方への張力が延長部分４３に伝わって配置部３９が引っ張られ、配置部３９が緊張することによって配置部３９に乗せられたパッド３６が着用者の肌に押し当てられる。【選択図】図１
2005323685.tif 000002
【特許請求の範囲】
【請求項１】
縦方向に前胴周り域および後胴周り域と、それら胴周り域の間に位置する股下域とを有し、肌当接側に位置する透液性表面シートと、肌非当接側に位置する不透液性裏面シートと、それらシートの間に介在して前記前後胴周り域間に延びる所定厚みの吸液性コアとから構成され、前記コアの両端縁の縦方向外方に位置して横方向へ延びる一対のエンドフラップと、前記コアの両側縁の横方向外方に位置して縦方向へ延びる一対のサイドフラップとが形成され、前記後胴周り域のサイドフラップに横方向へ延びるテープファスナが取り付けられ、着用時に排泄物を吸収保持する排泄物処理パッドを前記表面シート上に乗せ、前記テープファスナを前記前胴周り域の外面に止着して前記前後胴周り域を連結するオープン型の使い捨ておむつにおいて、
前記コアを除く前記表裏面シートから形成されて該コアに囲まれた縦方向へ延びるパッド配置部が、前記前後胴周り域と前記股下域とのうちの少なくとも該股下域の横方向中央に設けられ、前記配置部が、前記後胴周り域の側に位置する該配置部の後端縁から二股に分かれて前記テープファスナに向かって延びる一対の第１延長部分を有することを特徴とする前記おむつ。
【請求項２】
前記パッド配置部が、前記前胴周り域の側に位置する該配置部の前端縁から二股に分かれて該前胴周り域のエンドフラップとサイドフラップとが交差する両角部に向かって延びる一対の第２延長部分を有する請求項１に記載のおむつ。
【請求項３】
前記パッド配置部の両側縁近傍に位置して縦方向へ延びる伸縮性弾性部材が、該配置部に収縮可能に取り付けられている請求項１または請求項２に記載のおむつ。
【請求項４】
前記伸縮性弾性部材が、前記パッド配置部を縦断し、前記弾性部材の縦方向両端部が、前記前後胴周り域に位置する前記コアの下面の側に延びている請求項３に記載のおむつ。
【請求項５】
前記伸縮性弾性部材が、前記パッド配置部の横方向内方へ向かって弧を画き、前記弾性部材の横方向の離間寸法が、前記配置部の縦方向中央で最小になっている請求項３または請求項４に記載のおむつ。
【請求項６】
前記伸縮性弾性部材が、前記パッド配置部の第１および第２延長部分に延在している請求項３ないし請求項５いずれかに記載のおむつ。
【請求項７】
前記伸縮性弾性部材の伸長応力が、０．０５〜４．０Ｎの範囲にある請求項３ないし請求項６いずれかに記載の着用物品。
【請求項８】
前記表面シートが、前記パッド配置部を囲む前記コアの内周壁に沿って該コアの上面から下面に向かって延び、前記パッド配置部に位置する前記表裏面シートが、前記コアの下面の側で互いに固着され、前記コアの厚み寸法に比例した段差が、前記コアの上面と前記配置部との間に形成されている請求項１ないし請求項７いずれかに記載のおむつ。
【発明の詳細な説明】
【技術分野】
【０００１】
本発明は、排泄物を吸収保持する排泄物処理パッドを乗せ、パッドとともに着用するオープン型の使い捨ておむつに関する。
【背景技術】
【０００２】
縦方向に前胴周り域および後胴周り域と、それら胴周り域の間に位置する股下域とを有し、透液性表面シートおよび不透液性裏面シートと、それらシートの間に介在して前後胴周り域間に延びる所定厚みの吸液性コアとから構成され、コアの両端縁の縦方向外方に位置して横方向へ延びる一対のエンドフラップと、コアの両側縁の横方向外方に位置して縦方向へ延びる一対のサイドフラップとが形成され、排泄物を吸収保持するパッドを表面シート上に乗せてパッドとともに着用するオープン型の使い捨ておむつがある（特許文献１参照）。
【０００３】
このおむつの股下域の横方向中央には、パッドを配置する凹陥領域が形成されている。凹陥領域は、コアを除く表裏面シートから形成され、縦方向へ長い楕円形を呈する。凹陥領域の周縁には、環状に延びる伸縮性弾性部材が収縮可能に取り付けられている。後胴周り域のサイドフラップには、横方向へ延びるテープファスナが取り付けられている。おむつでは、弾性部材の収縮力が凹陥領域の面積を縮小させるように作用し、その作用によって凹陥領域がおむつの厚み方向下方へ向かって凹むので、パッドを凹陥領域に嵌め込むことができ、おむつの着用中におけるパッドのずれ動きを防ぐことができる。このおむつを着用するには、凹陥領域にパッドを嵌め込んだ後、後胴周り域のサイドフラップを前胴周り域のサイドフラップの外側に重ね合わせ、テープファスナを横方向外方へ引っ張りながらテープファスナの自由端部を前胴周り域の外面に止着して前後胴周り域を連結する。前後胴周り域が連結されたおむつには、胴周り開口と一対の脚周り開口とが形成される。
【特許文献１】特開２００３−１１６９１０号公報
【発明の開示】
【発明が解決しようとする課題】
【０００４】
特許文献１に開示のおむつでは、テープファスナの自由端部を前胴周り域の外面に止着するおむつの着用時に後胴周り域のサイドフラップが横方向外方へ引っ張られ、テープファスナを介して前後胴周り域を連結したおむつの着用中に前後胴周り域のサイドフラップどうしが互いに引き合ってそれらフラップが横方向外方へ引っ張られる。しかし、このおむつは、その着用時や着用中にサイドフラップが横方向外方へ引っ張られたとしても、サイドフラップに作用する張力が楕円形を呈する凹陥領域に伝わり難く、凹陥領域が横方向外方へ引っ張られることがないので、凹陥領域を緊張させることができない。このおむつは、その着用時や着用中に凹陥領域がおむつの厚み方向下方へたるんだままとなり、凹陥領域に嵌め込まれたパッドを着用者の肌に押し当てることができず、パッドを着用者の肌に密着させることができない。パッドが着用者の肌に密着しないと、パッドと肌との間に隙間が生じ、パッドに排泄物を吸収、保持させることができない場合がある。
【０００５】
本発明の目的は、排泄物処理パッドを着用者の肌に密着させることができ、パッドに排泄物を確実に吸収保持させることができるオープン型の使い捨ておむつを提供することにある。
【課題を解決するための手段】
【０００６】
前記課題を解決するための本発明の前提は、縦方向に前胴周り域および後胴周り域と、それら胴周り域の間に位置する股下域とを有し、肌当接側に位置する透液性表面シートと、肌非当接側に位置する不透液性裏面シートと、それらシートの間に介在して前後胴周り域間に延びる所定厚みの吸液性コアとから構成され、コアの両端縁の縦方向外方に位置して横方向へ延びる一対のエンドフラップと、コアの両側縁の横方向外方に位置して縦方向へ延びる一対のサイドフラップとが形成され、後胴周り域のサイドフラップに横方向へ延びるテープファスナが取り付けられ、着用時に排泄物を吸収保持する排泄物処理パッドを表面シート上に乗せ、テープファスナを前胴周り域の外面に止着して前後胴周り域を連結するオープン型の使い捨ておむつである。
【０００７】
前記前提における本発明の特徴は、コアを除く表裏面シートから形成されて該コアに囲まれた縦方向へ延びるパッド配置部が前後胴周り域と股下域とのうちの少なくとも該股下域の横方向中央に設けられ、パッド配置部が後胴周り域の側に位置する該パッド配置部の後端縁から二股に分かれてテープファスナに向かって延びる一対の第１延長部分を有することにある。
【０００８】
本発明は、以下の実施態様を有する。
（１）本発明の実施態様の一例は、パッド配置部が前胴周り域の側に位置する該パッド配置部の前端縁から二股に分かれて該前胴周り域のエンドフラップとサイドフラップとが交差する両角部に向かって延びる一対の第２延長部分を有する。
（２）本発明の実施態様の他の一例は、パッド配置部の両側縁近傍に位置して縦方向へ延びる伸縮性弾性部材が該配置部に収縮可能に取り付けられている。
（３）本発明の実施態様の他の一例は、伸縮性弾性部材がパッド配置部を縦断し、弾性部材の縦方向両端部が前後胴周り域に位置するコアの下面の側に延びている。
（４）本発明の実施態様の他の一例は、伸縮性弾性部材がパッド配置部の横方向内方へ向かって弧を画き、弾性部材の横方向の離間寸法がパッド配置部の縦方向中央で最小になっている。
（５）本発明の実施態様の他の一例は、伸縮性弾性部材がパッド配置部の第１および第２延長部分に延在している。
（６）本発明の実施態様の他の一例は、伸縮性弾性部材の伸長応力が０．０５〜４．０Ｎの範囲にある。
（７）本発明の実施態様の他の一例は、表面シートがパッド配置部を囲むコアの内周壁に沿って該コアの上面から下面に向かって延び、パッド配置部に位置する表裏面シートがコアの下面の側で互いに固着され、コアの厚み寸法に比例した段差がコアの上面とパッド配置部との間に形成されている。
【発明の効果】
【０００９】
本発明に係る使い捨ておむつによれば、テープファスナの自由端部を前胴周り域の外面に止着するおむつの着用時やテープファスナを介して前後胴周り域を連結したおむつの着用中に、後胴周り域のサイドフラップに作用する横方向外方への張力が第１延長部分に伝わって後胴周り域の側に延びる配置部が引っ張られ、配置部が緊張することによって配置部に乗せられたパッドが着用者の肌に押し当てられる。ここで、配置部が緊張するとは、配置部のたるみや皺が伸ばされて配置部がぴんと張ることをいう。このおむつは、その着用時や着用中にパッドを着用者の肌に密着させることができ、パッドと着用者の肌との間に隙間が生じることはなく、パッドに排泄物を確実に吸収、保持させることができる。
【００１０】
パッド配置部が前胴周り域の側に位置する配置部の前端縁から二股に分かれて前胴周り域のエンドフラップとサイドフラップとが交差する両角部に向かって延びる一対の第２延長部分を有するおむつは、その着用時や着用中に後胴周り域のサイドフラップに作用する横方向外方への張力が第１延長部分に伝わるとともに、おむつの着用中に前胴周り域のサイドフラップに作用する横方向外方への張力が第２延長部分に伝わって前後胴周り域の側に延びる配置部が引っ張られ、配置部が緊張することよって配置部に乗せられたパッドが着用者の肌に押し当てられる。このおむつは、その着用時や着用中にパッドを着用者の肌に密着させることができ、パッドと着用者の肌との間に隙間が生じることはなく、パッドに排泄物を確実に吸収、保持させることができる。
【００１１】
パッド配置部の両側縁近傍に位置して縦方向へ延びる伸縮性弾性部材が配置部に収縮可能に取り付けられたおむつは、弾性部材の収縮力によって配置部が着用者の肌に向かって持ち上げられ、配置部に乗せられたパッドが着用者の肌に押し当てられるので、パッドを着用者の肌に確実に密着させることができ、排泄物をパッドに確実に吸収、保持させることができる。このおむつは、その着用時や着用中にサイドフラップに作用する張力を介してパッド配置部が引っ張られ、配置部が緊張することによって弾性部材が伸長するので、配置部の緊張と配置部に作用する弾性部材の収縮力とを利用してパッドを着用者の肌に確実に密着させることができる。
【００１２】
伸縮性弾性部材がパッド配置部を縦断し、弾性部材の縦方向両端部が前後胴周り域に位置するコアの下面の側に延びているおむつは、配置部の緊張と弾性部材の収縮力とを利用してパッドを着用者の肌に密着させることができるのみならず、弾性部材の収縮力によって前後胴周り域に位置するコアが着用者の肌に押し当てられ、コアを着用者の肌に密着させることができる。このおむつは、パッドから排泄物が漏れたとしても、排泄物を前後胴周り域のコアに吸収、保持させることができ、おむつの外側への排泄物の漏れを防ぐことができる。
【００１３】
伸縮性弾性部材がパッド配置部の横方向内方へ向かって弧を画き、弾性部材の横方向の離間寸法が配置部の縦方向中央で最小になっているおむつは、伸縮性弾性部材の収縮力が配置部全体に作用し、弾性部材の収縮力によって配置部全体が着用者の肌に向かって持ち上げられ、配置部に乗せられたパッド全体が着用者の肌に押し当てられるので、パッド全体を着用者の肌に密着させることができ、排泄物をパッドに確実に吸収、保持させることができる。このおむつは、その着用時や着用中にパッド配置部が横方向外方へ引っ張られて緊張し、それによって弾性部材が着用者の股間部の湾曲に沿って伸長するので、配置部の緊張と配置部に作用する弾性部材の収縮力とを利用してパッドを着用者の肌に確実に密着させることができる。
【００１４】
伸縮性弾性部材がパッド配置部の第１および第２延長部分に延在しているおむつは、その着用時や着用中にサイドフラップから第１および第２延長部分に伝わる張力が弾性部材に作用し、それによって弾性部材が伸長するので、配置部の緊張と配置部に作用する弾性部材の収縮力とを利用してパッドを着用者の肌に確実に密着させることができる。
【００１５】
伸縮性弾性部材の伸長応力が０．０５〜４．０Ｎの範囲にあるおむつでは、弾性部材の収縮力がパッド配置部に十分に作用し、弾性部材の収縮力によって配置部を着用者の肌に向かって確実に持ち上げることができ、パッドを着用者の肌に確実に密着させることができる。
【００１６】
コアの厚み寸法に比例した段差がコアの上面とパッド配置部との間に形成されたおむつでは、パッドに着用者の体圧がかかると、パッドをおむつの厚み方向下方へ押し下げる力がパッドに作用し、パッドが段差に沿っておむつの厚み方向下方へ下がるので、パッドが嵩張ることはなく、着用したおむつに対する違和感がない。このおむつは、その着用中にパッド配置部が引っ張られ、配置部の緊張状態が維持されるので、パッドにかかる着用者の体圧が解除されると、パッドが再びおむつの厚み方向上方へ上がり、パッドが着用者の肌に密着する。このおむつは、その着用中に着用者の肌に対するパッドの密着状態を維持することができ、排泄物をパッドに確実に吸収、保持させることができる。
【発明を実施するための最良の形態】
【００１７】
添付の図面を参照し、本発明に係る使い捨ておむつの詳細を説明すると、以下のとおりである。
【００１８】
図１，２は、パッド３６を配置部３９に乗せた状態で示す使い捨ておむつ２０Ａの斜視図と、パッド３６の図示を省略した図１のおむつ２０Ａの部分破断平面図とであり、図３，４は、図１の３−３線矢視断面図と、図１の４−４線矢視断面図とである。図１，２では、横方向を矢印Ｌ、縦方向を矢印Ｍで示し、厚み方向を矢印Ｎ（図１のみ）で示す。図２は、伸縮性弾性部材４８，５１，５４の収縮力に抗しておむつ２０Ａを縦横方向へ展開させた状態で示す。なお、おむつ２０Ａの構成部材である表裏面シート２４，２５や防漏シート３１の内面とはコア２６に対向する面をいい、それらシート２４，２５，３１の外面とはコア２６に非対向の面をいう。コア２６の上面とは表面シート２４に対向する面をいい、コア２６の下面とは裏面シート２５に対向する面をいう。また、パッド３６の構成部材である表面シート５８や裏面シート５９の内面とはコア６０に対向する面をいい、それらシート５８，５９の外面とはコア６０に非対向の面をいう。
【００１９】
おむつ２０Ａは、縦方向に前胴周り域２１および後胴周り域２３と、それら胴周り域２１，２３の間に位置する股下域２２とを有する。おむつ２０Ａは、肌当接側に位置する透液性表面シート２４と、肌非当接側に位置する不透液性裏面シート２５と、表裏面シート２４，２５の間に介在して前後胴周り域２１，２３間に延びる所定厚みの吸液性コア２６とから構成されている。おむつ２０Ａには、コア２６の両端縁２７の縦方向外方に位置して横方向へ延びる一対のエンドフラップ２９と、コア２６の両側縁２８の横方向外方に位置して縦方向へ延びる一対のサイドフラップ３０とが形成されている。
【００２０】
サイドフラップ３０には、互いに離間対向して縦方向へ延びる一対の不透液性防漏シート３１が取り付けられている。股下域２２のサイドフラップ３０は、おむつ２０Ａの横方向内方へ向かって弧を画いている。おむつ２０Ａは、図２に示すように、その平面形状が砂時計型を呈する。後胴周り域２３のサイドフラップ３０Ｂには、横方向へ延びる可撓性のテープファスナ３２が取り付けられている。テープファスナ３２は、固定端部３３と自由端部３４とを有する。前胴周り域２１には、テープファスナ３２の自由端部３４を着脱可能に止着する可撓性のターゲットテープ３５が取り付けられている。おむつ２０Ａは、その着用時にテープファスナ３２を介して前後胴周り域２１，２３を連結するオープン型であり、図１に示すように、排泄物を吸収保持する排泄物処理パッド３６を後記するパッド配置部３９に乗せてパッド３６とともに着用する。
【００２１】
表面シート２４は、親水性繊維不織布から形成されている。裏面シート２５は、疎水性繊維不織布３７と通気不透液性プラスチックフィルム３８とをラミネートした複合シートから形成されている。防漏シート３１は、撥水処理が施された疎水性繊維不織布から形成されている。コア２６は、粒子状や繊維状の高吸収性ポリマーとフラッフパルプとの混合物、または、粒子状や繊維状の高吸収性ポリマーとフラッフパルプと熱可塑性合成樹脂繊維との混合物である。コア２６は、所定の厚みに圧縮され、その剛性が表裏面シート２４，２５や防漏シート３１のそれよりも高い。コア２６は、その型崩れを防止するため、全体がティッシュペーパー（図示せず）に包被されている。コア２６は、表裏面シート２４，２５の内面に接合されている。
【００２２】
股下域２２の横方向中央には、縦方向へ延びるパッド配置部３９が形成されている。配置部３９は、前胴周り域２１の側に位置して横方向へ延びる前端縁４０と、後胴周り域２３の側に位置して横方向へ延びる後端縁４１と、前後端縁４０，４１間に位置して縦方向へ延びる両側縁４２とを有する。配置部３９は、その後端縁４１から二股に分かれてテープファスナ３２に向かって延びる一対の第１延長部分４３を有する。延長部分４３は、配置部３９の後端縁４１からテープファスナ３２に向かっておむつ２０Ａの横寸法を二分する縦中心線Ｍ１から次第に離間するように傾斜して延びている。延長部分４３は、配置部３９の後端縁４１からテープファスナ３２に向かって先細りを呈する。延長部分４３を含む配置部３９は、コア２６を除く表面シート２４と裏面シート２５とから形成され、コア２６の内周壁４４に囲まれている。延長部分４３を含む配置部３９の剛性は、コア２６が存在する部位に比較して低い。
【００２３】
配置部３９では、表面シート２４が配置部３９を囲むコア２６の内周壁４４に沿ってコア２６の上面から下面に向かって延び、表面シート２４の内面がコア２６の内周壁４４に固着されている。配置部３９を形成する表面シート２４と裏面シート２５とは、コア２６の下面の側においてそれらシート２４，２５の内面どうしが断続的に固着されている。配置部３９は、おむつ２０Ａの厚み方向下方へ凹んでいる。コア２６の上面と配置部３９との間には、コア２６の厚み寸法に比例した段差Ｎ１が形成されている。
【００２４】
防漏シート３１は、表面シート２４の外面の側に配置されている。防漏シート３１は、サイドフラップ３０に位置して縦方向へ延びる固定側部４５と、固定側部４５に並行して縦方向へ延びていて表面シート２４の上方へ起立性向を有する自由部４６と、エンドフラップ２９に位置しておむつ２０Ａの横方向内方へ倒伏した固定両端部４７とから形成されている。固定側部４５と自由部４６とは、エンドフラップ２９間に延びている。自由部４６の上方には、縦方向へ延びる伸縮性弾性部材４８が収縮可能に取り付けられている。弾性部材４８は、縦方向へ所定の倍率に伸長された状態で自由部４６に固着されている。おむつ２０Ａが表面シート２４を内側にして縦方向へ湾曲すると、弾性部材４８が収縮して自由部４６が縦方向へ縮み、自由部４６が表面シート２４の上方へ起立して排泄物に対する障壁を形成する。
【００２５】
エンドフラップ２９は、コア２６の端縁２７から縦方向外方へ延びる表裏面シート２４，２５の端部４９，５０と防漏シート３１の固定端部４７とから形成されている。エンドフラップ２９では、表裏面シート２４，２５の端部４９，５０と防漏シート３１の端部４７とが重なり合い、表裏面シート２４，２５の内面どうしが固着され、表面シート２４の外面と防漏シート３１の内面とが固着されている。後胴周り域２３のエンドフラップ２９には、横方向へ延びる複数条の胴周り用弾性部材５１が収縮可能に取り付けられている。胴周り用弾性部材５１は、表面シート２４の端部４９と裏面シート２５の端部５０との間に介在し、横方向へ所定の倍率に伸長させた状態でそれらシート２４，２５の内面に固着されている。
【００２６】
サイドフラップ３０は、コア２６の側縁２８から横方向外方へ延びる表裏面シート２４，２５の側部５２，５３と防漏シート３１の固定側部４５とから形成されている。サイドフラップ３０では、表面シート２４の側部５２がコア２６の側縁２８から横方向外方へわずかに延び、側部５２からさらに横方向外方へ裏面シート２５の側部５３と防漏シート３１の側部４５とが延びている。サイドフラップ３０では、表裏面シート２４，２５の側部５２，５３と防漏シート３１の側部４５とが重なり合い、表裏面シート２４，２５の内面どうしが固着され、表裏面シート２４，２５の内外面と防漏シート３１の内面とが固着されている。サイドフラップ３０には、縦方向へ延びる複数条の脚周り用弾性部材５４が収縮可能に取り付けられている。脚周り用弾性部材５４は、裏面シート２５の側部５３と防漏シート３１の固定側部４５との間に介在し、縦方向へ所定の倍率に伸長させた状態でそれらシート２５，３１の内面に固着されている。
【００２７】
テープファスナ３２は、繊維不織布から形成されている。テープファスナ３２の固定端部３３は、裏面シート２５の側部５３と防漏シート３１の固定側部４５との間に介在し、それらシート２５，３１の内面に固着されている。テープファスナ３２の自由端部３４には、フック部材５５が取り付けられている。図１では、自由端部３４がおむつ２０Ａの横方向内方へ折り曲げられ、自由端部３４がフック部材５５を介してサイドフラップ３０Ｂ（防漏シート３１の外面）に仮着されている。なお、自由端部３４には、フック部材５５ではなく、剥離紙に被覆された感圧型接着剤が塗布されていてもよい。ターゲットテープ３５は、横方向へ長い矩形を呈し、プラスチックフィルム５６と、フィルム５６に取り付けられたループ部材５７とから形成されている。ターゲットテープ３５は、それを形成するフィルム５６が裏面シート２５の外面に固着されている。テープファスナ３２の自由端部３４に感圧型接着剤を塗布する場合は、ターゲットテープ３５にプラスチックフィルムが使用される。
【００２８】
パッド３６は、肌当接側に位置する透液性表面シート５８と、肌非当接側に位置する不透液性裏面シート５９と、表裏面シート５８，５９の間に介在してそれらシート５８，５９の内面に接合された所定厚みの吸液性コア６０とから形成されている。パッド３６は、縦方向へ長い矩形を呈し、横方向へ延びる両端部６１と、縦方向へ延びる両側部６２とを有する。両端部６１と両側部６２とでは、表裏面シート５８，５９が互いに重なり合い、それらシート５８，５９の内面どうしが固着されている。表面シート５８は親水性繊維不織布から形成され、裏面シート５９は疎水性繊維不織布から形成されている。コア６０は、おむつ２０Ａのそれと同一の混合物であって、その全体がティッシュペーパー（図示せず）に包被されている。なお、パッド３６は、吸液性コア６０と、コア６０の全体を包被する透液性シートとから形成されていてもよい。
【００２９】
図５は、おむつ２０Ａの着用手順を説明する斜視図である。図５は、おむつ２０Ａを後胴周り域２３の側から示している。図５では、テープファスナ３２の一方がターゲットテープ３５に止着されている。なお、着用者の図示は省略している。このおむつ２０Ａを着用する手順は、以下のとおりである。おむつ２０Ａの表面シート２４とパッド３６の裏面シート５９とが当接するように、パッド３６を配置部３９に乗せる。パッド３６を配置部３９に乗せた後、着用者の臀部を後胴周り域２３に乗せ、股下域２２を折り曲げて前胴周り域２１を着用者の腹部の上に乗せる。次に、テープファスナ３２の自由端部３４を指で摘持し、テープファスナ３２を横方向外方へ引っ張りながら後胴周り域２３のサイドフラップ３０Ｂを前胴周り域２１のサイドフラップ３０Ａの外側に重ね合わせ、フック部材５５を介してテープファスナ３２の自由端部３４をターゲットテープ３５（前胴周り域２１の外面）に止着して前胴周り域２１と後胴周り域２３とを連結する。前後胴周り域２１，２３が連結されたおむつ２０Ａには、胴周り開口６３とその下方に一対の脚周り開口６４とが形成される。おむつ２０Ａを着用すると、前胴周り域２１が着用者の腹部に当接し、股下域２２が股間部に当接するとともに、後胴周り域２３が臀部と背部とに当接する。
【００３０】
テープファスナ３２をターゲットテープ３５に止着するおむつ２０Ａの着用時には、後胴周り域２３のサイドフラップ３０Ｂが図５に矢印Ｌ１で示す横方向外方へ引っ張られ、サイドフラップ３０Ｂに作用する横方向外方への張力が第１延長部分４３に伝わる。また、テープファスナ３２を介して前後胴周り域２１，２３を連結したおむつ２０Ａの着用中では、前後胴周り域２１，２３のサイドフラップ３０Ａ，３０Ｂどうしが互いに引き合うことで、それらサイドフラップ３０Ａ，３０Ｂが図５に矢印Ｌ１，Ｌ２で示す横方向外方へ引っ張られ、サイドフラップ３０Ｂに作用する横方向外方への張力が第１延長部分４３に伝わる。おむつ２０Ａでは、第１延長部分４３を含むパッド配置部３９の剛性がコア２６の存在部位のそれよりも低く、延長部分４３がテープファスナ３２に向かって延びているので、おむつ２０Ａの着用時や着用中にサイドフラップ３０Ｂに作用する張力がサイドフラップ３０Ｂから延長部分４３に容易に伝わり、その張力によって配置部３９が引っ張られて緊張し（配置部３９のたるみや皺が伸ばされて配置部３９がぴんと張る）、配置部３９の緊張にともなってパッド３６が着用者の肌に押し当てられる。おむつ２０Ａの着用中に排泄された排泄物は、パッド３６の表面シート５８を透過してコア６０に吸収される。
【００３１】
おむつ２０Ａは、その着用時や着用中にパッド３６が着用者の肌に押し当てられるので、パッド３６を着用者の肌に密着させることができ、パッド３６と着用者の肌との間に隙間が生じることはなく、パッド３６に排泄物を確実に吸収、保持させることができる。おむつ２０Ａは、配置部３９の周りにコア２６が存在するので、パッド３６から排泄物が漏れたとしても、排泄物をおむつ２０Ａのコア２６に吸収、保持させることができ、おむつ２０Ａの外側への排泄物の漏れを防ぐことができる。
【００３２】
おむつ２０Ａでは、パッド３６に着用者の体圧がかかると、パッド３６をおむつ２０Ａの厚み方向下方へ押し下げる力がパッド３６に作用し、パッド３６が段差Ｎ１に沿っておむつ２０Ａの厚み方向下方へ下がるので、パッド３６が嵩張ることはなく、着用したおむつ２０Ａに対する違和感がない。おむつ２０Ａは、その着用中にパッド配置部３９が引っ張られ、配置部３９の緊張状態が維持されるので、パッド３６にかかる着用者の体圧が解除されると、パッド３６が再びおむつ２０Ａの厚み方向上方へ上がり、パッド３６が着用者の肌に密着する。
【００３３】
おむつ２０Ａでは、第１延長部分４３を含むパッド配置部３９の剛性値が０．１〜２．０ｍＮ・ｃｍの範囲、好ましくは、０．８〜１．５ｍＮ・ｃｍの範囲にある。配置部３９の剛性値が２．０ｍＮ・ｃｍを超過すると、サイドフラップ３０Ｂに作用する張力が配置部３９に伝わったとしても、その張力によって配置部３９を緊張させることが難しく、パッド３６を着用者の肌に押し当てることができない場合がある。なお、配置部３９の剛性値は、ガーレ法（ＪＩＳ Ｌ １０９６−０１−８.２０.１）に準拠して測定した。その測定方法は、以下のとおりである。
（１）おむつ２０Ａから配置部３９を裁断し、縦寸法２５．０ｍｍ×横寸法３８．０ｍｍの測定用サンプルを作成した。剛性値の測定には、ガーレ柔軟度試験機を使用した。
（２）サンプルの縦方向一端部を試験機のチャックに挟み、サンプルの縦方向他端部を試験機の振り子にかけ、試験機の目盛りが３〜６の間になるように補助重りを取り付けた。試験機のスイッチを入れ、サンプルから振り子の回転ロッドが離れる瞬間の目盛りを読み、第１剛性値を測定した。次に、サンプルの縦方向他端部を試験機のチャックに挟み、サンプルの縦方向一端部を試験機の振り子にかけ、試験機の目盛りが３〜６の間になるように補助重りを取り付けた。試験機のスイッチを入れ、サンプルから振り子の回転ロッドが離れる瞬間の目盛りを読み、第２剛性値を測定した。測定した第１および第２剛性値の平均をサンプルの剛性値とした。測定したサンプルの剛性値は０．１〜２．０ｍＮ・ｃｍであり、サンプルの剛性値を配置部３９の剛性値とした。
【００３４】
図６，７は、パッド３６を配置部３９に乗せた状態で示す他の一例のおむつ２０Ｂの斜視図と、パッド３６の図示を省略した図６のおむつ２０Ｂの部分破断平面図とであり、図８，９は、図６の８−８線矢視断面図と、図６の９−９線矢視断面図とである。図６，７では、横方向を矢印Ｌ、縦方向を矢印Ｍで示し、厚み方向を矢印Ｎ（図６のみ）で示す。図７は、伸縮性弾性部材４８，５１，５４，６６の収縮力に抗しておむつ２０Ｂを縦横方向へ展開させた状態で示す。
【００３５】
おむつ２０Ｂは、その着用時にテープファスナ３２を介して前後胴周り域２１，２３を連結するオープン型であり、排泄物処理パッド３６をパッド配置部３９に乗せてパッド３６とともに着用する。おむつ２０Ｂは、透液性表面シート２４および不透液性裏面シート２５と、表裏面シート２４，２５の間に介在して前後胴周り域２１，２３間に延びる吸液性コア２６とから構成され、サイドフラップ３０に縦方向へ延びる一対の不透液性防漏シート３１が取り付けられている点において図１のおむつ２０Ａと同一である。このおむつ２０Ｂが図１のそれと異なるのは、配置部３９が第２延長部分６６を有する点と、配置部３９に伸縮性弾性部材６７，６８が取り付けられている点とであり、その他の構成は図１のおむつ２０Ａと同一であるので、図１のおむつ２０Ａと同一の符合を付してその他の構成の説明は省略する。
【００３６】
パッド配置部３９は、股下域２２の横方向中央に形成されて縦方向へ延びている。配置部３９は、横方向へ延びる前後端縁４０，４１と、縦方向へ延びる両側縁４２とを有する。配置部３９は、その後端縁４１から二股に分かれてテープファスナ３２に向かって延びる一対の第１延長部分４３と、その前端縁４０から二股に分かれて前胴周り域２１のエンドフラップ２９とサイドフラップ３０Ａとが交差する両角部６５に向かって延びる一対の第２延長部分６６とを有する。延長部分４３は、配置部３９の後端縁４１からテープファスナ３２に向かって縦中心線Ｍ１から次第に離間するように傾斜して延びている。延長部分４３は、配置部３９の後端縁４１からテープファスナ３２に向かって先細りを呈する。延長部分６６は、配置部３９の前端縁４０から角部６５に向かって縦中心線Ｍ１から次第に離間するように傾斜して延びている。延長部分６６は、配置部３９の前端縁４０から角部６５に向かって先細りを呈する。第１および第２延長部分４３，６６を含む配置部３９は、コア２６を除く表面シート２４と裏面シート２５とから形成され、コア２６の内周壁４４に囲まれている。それら延長部分４３，６６を含む配置部３９の剛性は、コア２６が存在する部位に比較して低い。
【００３７】
配置部３９では、表面シート２４が配置部３９を囲むコア２６の内周壁４４に沿ってコア２６の上面から下面に向かって延び、表面シート２４の内面がコア２６の内周壁４４に固着されている。配置部３９を形成する表面シート２４と裏面シート２５とは、コア２６の下面の側においてそれらシート２４，２５の内面どうしが断続的に固着されている。配置部３９は、おむつ２０Ｂの厚み方向下方へ凹んでいる。コア２６の上面と配置部３９との間には、コア２６の厚み寸法に比例した段差Ｎ１が形成されている。
【００３８】
配置部３９の両側縁４２近傍には、伸縮性第１弾性部材６７（伸縮性弾性部材）と伸縮性第２弾性部材６８（伸縮性弾性部材）とが収縮可能に取り付けられている。それら弾性部材６７，６８は、横方向へ離間対向して縦方向へ延びている。弾性部材６７，６８は、前後端縁４０，４１間に位置して第１および第２延長部分４３，６６近傍に達している。それら弾性部材６７，６８は、表面シート２４と裏面シート２５との間に介在し、縦方向へ所定の倍率に伸長させた状態でそれらシート２４，２５の内面に固着されている。
【００３９】
図１０は、前胴周り域２１の側から示す着用状態のおむつ２０Ｂの斜視図である。このおむつ２０Ｂの着用手順は図５のそれと同一であるので、その説明は省略する。テープファスナ３２をターゲットテープ３５に止着するおむつ２０Ｂの着用時には、後胴周り域２３のサイドフラップ３０Ｂが図５に矢印Ｌ１で示す横方向外方へ引っ張られ、サイドフラップ３０Ｂに作用する横方向外方への張力が第１延長部分４３に伝わる。また、テープファスナ３２を介して前後胴周り域２１，２３を連結したおむつ２０Ｂの着用中では、前後胴周り域２１，２３のサイドフラップ３０Ａ，３０Ｂどうしが互いに引き合うことで、それらサイドフラップ３０Ａ，３０Ｂが図５，１０に矢印Ｌ１，Ｌ２で示す横方向外方へ引っ張られ、それらサイドフラップ３０Ａ，３０Ｂに作用する横方向外方への張力が第１延長部分４３と第２延長部分６６とに伝わる。おむつ２０Ｂでは、第１および第２延長部分４３，６６を含むパッド配置部３９の剛性がコア２６の存在部位のそれよりも低く、延長部分４３がテープファスナ３２に向かって延び、延長部分６６が角部６５に向かって延びているので、おむつ２０Ｂの着用時や着用中にサイドフラップ３０Ａ，３０Ｂに作用する張力がサイドフラップ３０Ａ，３０Ｂからそれら延長部分４３，６６に容易に伝わり、その張力によって配置部３９が引っ張られて緊張し、配置部３９の緊張にともなってパッド３６が着用者の肌に押し当てられる。おむつ２０Ｂの着用中に排泄された排泄物は、パッド３６の表面シート５８を透過してコア６０に吸収される。
【００４０】
おむつ２０Ｂは、その着用時や着用中にパッド３６が着用者の肌に押し当てられるので、パッド３６を着用者の肌に密着させることができ、パッド３６と着用者の肌との間に隙間が生じることはなく、パッド３６に排泄物を確実に吸収、保持させることができる。おむつ２０Ｂは、配置部３９の周りにコア２６が存在するので、パッド３６から排泄物が漏れたとしても、排泄物をおむつ２０Ｂのコア２６に吸収、保持させることができ、おむつ２０Ｂの外側への排泄物の漏れを防ぐことができる。
【００４１】
おむつ２０Ｂは、配置部３９の両側縁４２近傍に取り付けられた第１および第２弾性部材６７，６８の収縮力によってパッド配置部３９が着用者の肌に向かって持ち上げられ、配置部３９に乗せられたパッド３６が着用者の肌に押し当てられるので、パッド３６を着用者の肌に確実に密着させることができ、排泄物をパッド３６に確実に吸収、保持させることができる。おむつ２０Ｂは、その着用時や着用中に配置部３９が横方向外方へ引っ張られて緊張し、それによって弾性部材６７，６８が伸長するので、配置部３９の緊張と配置部３９に作用する弾性部材６７，６８の収縮力とを利用してパッド３６を着用者の肌に確実に密着させることができる。
【００４２】
おむつ２０Ｂでは、パッド３６に着用者の体圧がかかると、パッド３６をおむつ２０Ｂの厚み方向下方へ押し下げる力がパッド３６に作用し、パッド３６が段差Ｎ１に沿っておむつ２０Ｂの厚み方向下方へ下がるので、パッド３６が嵩張ることはなく、着用したおむつ２０Ｂに対する違和感がない。おむつ２０Ｂは、その着用中にパッド配置部３９が引っ張られ、配置部３９の緊張状態が維持されるので、パッド３６にかかる着用者の体圧が解除されると、パッド３６が再びおむつ２０Ｂの厚み方向上方へ上がり、パッド３６が着用者の肌に密着する。
【００４３】
おむつ２０Ｂでは、第１および第２延長部分４３，６６を含むパッド配置部３９の剛性値が０．１〜２．０ｍＮ・ｃｍの範囲、好ましくは、０．８〜１．５ｍＮ・ｃｍの範囲にある。配置部３９の剛性値が０．１ｍＮ・ｃｍ未満では、弾性部材６７の伸長応力にもよるが、弾性部材６７，６８の収縮力によって配置部３９が縦方向へ必要以上に縮み、サイドフラップ３０Ａ，３０Ｂに作用する張力が配置部３９に伝わったとしても、配置部３９を十分に緊張させることができず、パッド３６を着用者の肌に押し当てることができない。配置部３９の剛性値が２．０ｍＮ・ｃｍを超過すると、サイドフラップ３０Ａ，３０Ｂに作用する張力が配置部３９に伝わったとしても、その張力によって配置部３９を緊張させることが難しく、パッド３６を着用者の肌に押し当てることができない場合がある。なお、配置部３９の剛性値は、ガーレ法（ＪＩＳ Ｌ １０９６−０１−８.２０.１）に準拠して測定した。その測定方法は、図１のそれと同一である。
【００４４】
おむつ２０Ｂでは、弾性部材６７，６８の伸長応力が０．０５〜４．０Ｎの範囲、好ましくは、０．０８〜４．０Ｎの範囲にある。弾性部材６７，６８の伸長応力は、弾性部材１本の伸長応力である。弾性部材６７，６８の伸長応力が０．０５Ｎ未満では、配置部３９の剛性値にもよるが、弾性部材６７，６８の収縮力が配置部３９に十分に作用せず、弾性部材６７，６８の収縮力を利用して配置部３９を着用者の肌に向かって持ち上げることができず、パッド３６を着用者の肌に押し当てることができない。弾性部材６７，６８の伸長応力が４．０Ｎを超過すると、弾性部材６７，６８の収縮力によって配置部３９が縦方向へ必要以上に縮み、サイドフラップ３０Ａ，３０Ｂに作用する張力が配置部３９に伝わったとしても、配置部３９を十分に緊張させることができず、パッド３６を着用者の肌に押し当てることができない。なお、弾性部材６７，６８の伸長応力は、以下の方法で測定した。
（１）おむつ２０Ｂに使用した弾性部材と同一のそれを測定用サンプル（１本）として用意した。伸長応力測定には、島津製作所社製の引張り試験機を使用した。
（２）サンプルの縦方向両端部を引張り試験機のチャックで挟み（チャックによるサンプルの挟み寸法：約１０ｍｍ、サンプルのチャック間寸法：約１００ｍｍ）、１００ｍｍ／ｍｉｎの速度でサンプルを縦方向へ引っ張り、サンプルを３００％まで伸長させた後、伸長状態を解除した。再度、試験機を介して１００ｍｍ／ｍｉｎの速度でサンプルを縦方向へ引っ張り、サンプルを２００％まで伸長させ、そのときの試験機にかかる力を測定した。サンプルの伸長応力は０．０５〜４．０Ｎであり、サンプルの伸長応力を弾性部材６７，６８の１本の伸長応力とした。ここで、サンプルを２００％まで伸長させるとは、たとえば、サンプルのチャック間寸法が１００ｍｍの場合、サンプルを１００ｍｍに２．０を乗じた値である約２００ｍｍまで伸ばすことである。
【００４５】
図１１，１２は、パッド３６を配置部３９に乗せた状態で示す他の一例のおむつ２０Ｃの斜視図と、パッド３６の図示を省略した図１１のおむつ２０Ｃの部分破断平面図とであり、図１３，１４は、図１１の１３−１３線矢視断面図と、図１１の１４−１４線矢視断面図とである。図１１，１２では、横方向を矢印Ｌ、縦方向を矢印Ｍで示し、厚み方向を矢印Ｎ（図１１のみ）で示す。図１２は、伸縮性弾性部材４８，５１，５４，６６の収縮力に抗しておむつ２０Ｃを縦横方向へ展開させた状態で示す。
【００４６】
おむつ２０Ｃは、その着用時にテープファスナ３２を介して前後胴周り域２１，２３を連結するオープン型であり、排泄物処理パッド３６をパッド配置部３９に乗せてパッド３６とともに着用する。おむつ２０Ｃは、透液性表面シート２４および不透液性裏面シート２５と、表裏面シート２４，２５の間に介在して前後胴周り域２１，２３間に延びる吸液性コア２６とから構成され、サイドフラップ３０に縦方向へ延びる一対の不透液性防漏シート３１が取り付けられている点において図１のおむつ２０Ａと同一である。このおむつ２０Ｃが図１のそれと異なるのは、配置部３９が第２延長部分６６を有する点と、配置部３９に伸縮性弾性部材６７，６８が取り付けられている点とであり、その他の構成は図１のおむつ２０Ａと同一であるので、図１のおむつ２０Ａと同一の符合を付してその他の構成の説明は省略する。
【００４７】
パッド配置部３９は、股下域２２の横方向中央に形成されて縦方向へ延びている。配置部３９は、前後胴周り域２１，２３に位置して横方向へ延びる前後端縁４０，４１と、前後端縁４０，４１間に位置して縦方向へ延びる両側縁４２とを有する。配置部３９は、その後端縁４１から二股に分かれてテープファスナ３２に向かって延びる一対の第１延長部分４３と、その前端縁４０から二股に分かれて前胴周り域２１のエンドフラップ２９とサイドフラップ３０Ａとが交差する両角部６５に向かって延びる一対の第２延長部分６６とを有する。延長部分４３は、配置部３９の後端縁４１からテープファスナ３２に向かって縦中心線Ｍ１から次第に離間するように傾斜して延びている。延長部分４３は、配置部３９の後端縁４１からテープファスナ３２に向かって先細りを呈する。延長部分６６は、配置部３９の前端縁４０から角部６５に向かって縦中心線Ｍ１から次第に離間するように傾斜して延びている。延長部分６６は、配置部３９の前端縁４０から角部６５に向かって先細りを呈する。第１および第２延長部分４３，６６を含む配置部３９は、コア２６を除く表面シート２４と裏面シート２５とから形成され、コア２６の内周壁４４に囲まれている。それら延長部分４３，６６を含む配置部３９の剛性は、コア２６が存在する部位に比較して低い。
【００４８】
配置部３９では、表面シート２４が配置部３９を囲むコア２６の内周壁４４に沿ってコア２６の上面から下面に向かって延び、表面シート２４の内面がコア２６の内周壁４４に固着されている。配置部３９を形成する表面シート２４と裏面シート２５とは、コア２６の下面の側においてそれらシート２４，２５の内面どうしが断続的に固着されている。配置部３９は、おむつ２０Ｃの厚み方向下方へ凹んでいる。コア２６の上面と配置部３９との間には、コア２６の厚み寸法に比例した段差Ｎ１が形成されている。
【００４９】
配置部３９の両側縁４２近傍には、伸縮性第１弾性部材６７（伸縮性弾性部材）と伸縮性第２弾性部材６８（伸縮性弾性部材）とが収縮可能に取り付けられている。それら弾性部材６７，６８は、横方向へ離間対向して縦方向へ延びている。弾性部材６７，６８は、配置部３９を縦断して第１および第２延長部分４３，６６に延在し、縦方向両端部６９が前後胴周り域２１，２３に位置するコア２６の下面の側に延びている。弾性部材６７，６８は、配置部３９の横方向内方へ向かって弧を画き、横方向の離間寸法が配置部３９の縦方向中央で最小になっている。弾性部材６７，６８は、表面シート２４と裏面シート２５との間に介在し、縦方向へ所定の倍率に伸長させた状態でそれらシート２４，２５の内面に固着されている。両端部６９は、裏面シート２５とコア２６との間に介在し、シート２５の内面に固着されている。
【００５０】
このおむつ２０Ｃの着用手順は図５のそれと同一であるので、その説明は省略する。テープファスナ３２をターゲットテープ３５に止着するおむつ２０Ｃの着用時には、後胴周り域２３のサイドフラップ３０Ｂが図５に矢印Ｌ１で示す横方向外方へ引っ張られ、サイドフラップ３０Ｂに作用する横方向外方への張力が第１延長部分４３に伝わる。また、テープファスナ３２を介して前後胴周り域２１，２３を連結したおむつ２０Ｃの着用中では、前後胴周り域２１，２３のサイドフラップ３０Ａ，３０Ｂどうしが互いに引き合うことで、それらサイドフラップ３０Ａ，３０Ｂが図５，１０に矢印Ｌ１，Ｌ２で示す横方向外方へ引っ張られ、それらサイドフラップ３０Ａ，３０Ｂに作用する横方向外方への張力が第１延長部分４３と第２延長部分６６とに伝わる。おむつ２０Ｃでは、第１および第２延長部分４３，６６を含むパッド配置部３９の剛性がコア２６の存在部位のそれよりも低く、延長部分４３がテープファスナ３２に向かって延び、延長部分６６が角部６５に向かって延びているので、おむつ２０Ｃの着用時や着用中にサイドフラップ３０Ａ，３０Ｂに作用する張力がサイドフラップ３０Ａ，３０Ｂからそれら延長部分４３，６６に容易に伝わり、その張力によって配置部３９が横方向外方へ引っ張られて緊張し、配置部３９の緊張にともなってパッド３６が着用者の肌に押し当てられる。おむつ２０Ｃの着用中に排泄された排泄物は、パッド３６の表面シート５８を透過してコア６０に吸収される。
【００５１】
おむつ２０Ｃは、その着用時や着用中にパッド３６が着用者の肌に押し当てられるので、パッド３６を着用者の肌に密着させることができ、パッド３６と着用者の肌との間に隙間が生じることはなく、パッド３６に排泄物を確実に吸収、保持させることができる。おむつ２０Ｃは、配置部３９の周りにコア２６が存在するので、パッド３６から排泄物が漏れたとしても、排泄物をおむつ２０Ｃのコア２６に吸収、保持させることができ、おむつ２０Ｃの外側への排泄物の漏れを防ぐことができる。
【００５２】
おむつ２０Ｃは、配置部３９の両側縁４２近傍に取り付けられた弾性部材６７，６８の収縮力によって配置部３９が着用者の肌に向かって持ち上げられ、配置部３９に乗せられたパッド３６が着用者の肌に押し当てられるので、パッド３６を着用者の肌に確実に密着させることができ、排泄物をパッド３６に確実に吸収、保持させることができる。
【００５３】
おむつ２０Ｃは、弾性部材６７が配置部３９の横方向内方へ向かって弧を画いているので、弾性部材６７，６８の収縮力が配置部３９全体に作用し、弾性部材６７，６８の収縮力によって配置部３９全体が着用者の肌に向かって持ち上げられ、配置部３９に乗せられたパッド３６全体が着用者の肌に押し当てられ、パッド３６全体を着用者の肌に確実に密着させることができ、排泄物をパッド３６に確実に吸収、保持させることができる。おむつ２０Ｃは、弾性部材６７，６８が第１および第２延長部分４３，６６に延在しているので、その着用時や着用中に第１および第２延長部分４３，６６に伝わる張力がそれら延長部分４３，６６から弾性部材６７、６８に作用し、それによって弾性部材６７，６８が着用者の股間部の湾曲に沿って伸長するので、配置部３９の緊張と配置部３９に作用する弾性部材６７，６８の収縮力とを利用してパッド３６を着用者の肌に確実に密着させることができる。
【００５４】
おむつ２０Ｃは、弾性部材６７が配置部３９を縦断し、弾性部材６７，６８の縦方向両端部６９が前後胴周り域２１，２３に位置するコア２６の下面の側に延びているので、弾性部材６７，６８の収縮力によって前後胴周り域２１，２３に位置するコア２６が着用者の肌に押し当てられ、コア２６を着用者の肌に密着させることができる。おむつ２０Ｃは、パッド３６の両端部６１から排泄物が漏れたとしても、排泄物を前後胴周り域２１，２３のコア２６に吸収、保持させることができ、おむつ２０Ｃの外側への排泄物の漏れを防ぐことができる。
【００５５】
おむつ２０Ｃでは、パッド３６に着用者の体圧がかかると、パッド３６をおむつ２０Ｃの厚み方向下方へ押し下げる力がパッド３６に作用し、パッド３６が段差Ｎ１に沿っておむつ２０Ｃの厚み方向下方へ下がるので、パッド３６が嵩張ることはなく、着用したおむつ２０Ｃに対する違和感がない。おむつ２０Ｃは、その着用中にパッド配置部３９が引っ張られ、配置部３９の緊張状態が維持されるので、パッド３６にかかる着用者の体圧が解除されると、パッド３６が再びおむつ２０Ｃの厚み方向上方へ上がり、パッド３６が着用者の肌に密着する。
【００５６】
おむつ２０Ｃでは、第１および第２延長部分４３，６６を含むパッド配置部３９の剛性値が０．１〜２．０ｍＮ・ｃｍの範囲、好ましくは、０．８〜１．５ｍＮ・ｃｍの範囲にある。配置部３９の剛性値が０．１ｍＮ・ｃｍ未満では、弾性部材６７の伸長応力にもよるが、弾性部材６７の収縮力によって配置部３９が縦方向へ必要以上に縮み、サイドフラップ３０Ａ，３０Ｂに作用する張力が配置部３９に伝わったとしても、配置部３９を十分に緊張させることができず、パッド３６を着用者の肌に押し当てることができない。配置部３９の剛性値が２．０ｍＮ・ｃｍを超過すると、サイドフラップ３０Ａ，３０Ｂに作用する張力が配置部３９に伝わったとしても、その張力によって配置部３９を緊張させることが難しく、パッド３６を着用者の肌に押し当てることができない場合がある。なお、配置部３９の剛性値は、ガーレ法（ＪＩＳ Ｌ １０９６−０１−８.２０.１）に準拠して測定した。その測定方法は、図１のそれと同一である。
【００５７】
おむつ２０Ｃでは、弾性部材６７，６８の伸長応力が０．０５〜４．０Ｎの範囲、好ましくは、０．０８〜４．０Ｎの範囲にある。弾性部材６７，６８の伸長応力は、弾性部材１本の伸長応力である。弾性部材６７，６８の伸長応力が０．０５Ｎ未満では、配置部３９の剛性値にもよるが、弾性部材６７，６８の収縮力が配置部３９に十分に作用せず、弾性部材６７，６８の収縮力を利用して配置部３９を着用者の肌に向かって持ち上げることができず、パッド３６を着用者の肌に押し当てることができない。弾性部材６７，６８の伸長応力が４．０Ｎを超過すると、弾性部材６７，６８の収縮力によって配置部３９が縦方向へ必要以上に縮み、サイドフラップ３０Ａ，３０Ｂに作用する張力が配置部３９に伝わったとしても、配置部３９を十分に緊張させることができず、パッド３６を着用者の肌に押し当てることができない。なお、弾性部材６７，６８の伸長応力の測定方法は、図６のおむつ２０Ｃのそれと同一である。
【００５８】
図１のおむつ２０Ａでは、配置部３９に図６のおむつ２０Ｂと同一態様の弾性部材６７，６８が取り付けられていてもよく、配置部３９に図１１のおむつ２０Ｃと同一態様の弾性部材６７，６８が取り付けられていてもよい。また、おむつ２０Ａでは、配置部３９がその前端縁４０から二股に分かれて前胴周り域２１のエンドフラップ２９とサイドフラップ３０Ａとが交差する両角部６５に向かって延びる一対の第２延長部分６６を有していてもよい。図６のおむつ２０Ｂでは、弾性部材６７，６８が配置部３９の横方向内方へ向かって弧を画いていてもよい。
【００５９】
それらおむつ２０Ａ，２０Ｂ，２０Ｃでは、配置部３９が股下域２２の横方向中央と前後胴周り域２１，２３の横方向中央とに延びていてもよい。この場合は、配置部３９が股下域２２から前胴周り域２１の後半分および後胴周り域２３の前半部に延びていることが好ましい。おむつ２０Ａ，２０Ｂ，２０Ｃは、配置部３９において裏面シート２５がコア２６の内周壁４４に沿ってコア２６の下面から上面に向かって延び、裏面シート２５の内面がコア２６の内周壁４４に固着され、配置部３９を形成する表裏面シート２４，２５がコア２６の上面の側において互いに固着されていてもよい。
【００６０】
表面シート２４，５８には、親水性繊維不織布の他に、微細な多数の開孔を有する疎水性繊維不織布を使用することもできる。裏面シート２５には、複合シートの他に、疎水性繊維不織布、通気不透液性プラスチックフィルム、２枚以上の疎水性繊維不織布をラミネートした複合不織布のいずれかを使用することもできる。裏面シート５９には、裏面シート２５と同様の複合シート、通気不透液性プラスチックフィルム、２枚以上の疎水性繊維不織布をラミネートした複合不織布のいずれかを使用することもできる。裏面シート２５，５９や防漏シート３１には、高い耐水性を有するメルトブローン不織布の両面または片面に高い強度と良好な柔軟性とを有するスパンボンド不織布を重ね合わせた複合不織布（ＳＭ不織布、ＳＭＳ不織布、ＳＭＭＳ不織布）を使用することもできる。弾性部材４８，５１，５４，６６には、天然ゴムまたは合成ゴムを使用することができる。
【００６１】
繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。
【００６２】
表裏面シート２４，２５どうしの固着、シート２４，２５に対するコア２６の接合、シート２４，２５に対する防漏シート３１の固着、シート２４，２５，３１に対する弾性部材４８，５１，５４，６６の固着には、接着剤、または、ヒートシールやソニックシール等の熱による溶着手段を利用することができる。接着剤には、ホットメルト型接着剤やアクリル系接着剤、ゴム系接着剤を使用することができる。
【００６３】
接着剤は、表面シート２４や裏面シート２５、防漏シート３１にスパイラル状や波状、ジグザグ状、ドット状、縞状のうちのいずれかの態様で塗布されていることが好ましい。接着剤をそれらの態様でシート２４，２５，３１に塗布すると、それらシート２４，２５，３１に接着剤が塗布された塗布域と接着剤が塗布されていない非塗布域とが形成され、それらシート２４，２５，３１どうしが断続的に固着され、コア２６がシート２４，２５に断続的に接合されるとともに、弾性部材４８，５１，５４，６６がシート２４，２５，３１に断続的に固着される。
【図面の簡単な説明】
【００６４】
【図１】パッドを配置部に乗せた状態で示す使い捨ておむつの斜視図。
【図２】パッドの図示を省略した図１のおむつの部分破断平面図。
【図３】図１の３−３線矢視断面図。
【図４】図１の４−４線矢視断面図。
【図５】おむつの着用手順を説明する斜視図。
【図６】パッドを配置部に乗せた状態で示す他の一例のおむつの斜視図。
【図７】パッドの図示を省略した図６のおむつの部分破断平面図。
【図８】図６の８−８線矢視断面図。
【図９】図６の９−９線矢視断面図。
【図１０】前胴周り域の側から示す着用状態のおむつの斜視図
【図１１】パッドを配置部に乗せた状態で示す他の一例のおむつの斜視図。
【図１２】パッドの図示を省略した図１１のおむつの部分破断平面図。
【図１３】図１１の１３−１３線矢視断面図。
【図１４】図１１の１４−１４線矢視断面図。
【符号の説明】
【００６５】
２０Ａ    使い捨ておむつ
２０Ｂ    使い捨ておむつ
２０Ｃ    使い捨ておむつ
２１    前胴周り域
２２    股下域
２３    後胴周り域
２４    透液性表面シート
２５    不透液性裏面シート
２６    吸液性コア
２７    両端縁
２８    両側縁
２９    エンドフラップ
３０    サイドフラップ
３２    テープファスナ
３５    ターゲットテープ
３６    排泄物処理パッド
３９    パッド配置部
４０    前端縁
４１    後端縁
４２    両側縁
４３    第１延長部分
４４    内周壁
６５    両角部
６６    第２延長部分
６７    伸縮性第１弾性部材（伸縮性弾性部材）
６８    伸縮性第２弾性部材（伸縮性弾性部材）
６９    縦方向両端部
Ｎ１    段差
【図１】
2005323685.tif 000003
【図２】
2005323685.tif 000004
【図３】
2005323685.tif 000005
【図４】
2005323685.tif 000006
【図５】
2005323685.tif 000007
【図６】
2005323685.tif 000008
【図７】
2005323685.tif 000009
【図８】
2005323685.tif 000010
【図９】
2005323685.tif 000011
【図１０】
2005323685.tif 000012
【図１１】
2005323685.tif 000013
【図１２】
2005323685.tif 000014
【図１３】
2005323685.tif 000015
【図１４】
2005323685.tif 000016
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
縦方向に前胴周り域および後胴周り域と、それら胴周り域の間に位置する股下域とを有し、肌当接側に位置する透液性表面シートと、肌非当接側に位置する不透液性裏面シートと、それらシートの間に介在して前記前後胴周り域間に延びる所定厚みの吸液性コアとから構成され、前記コアの両端縁の縦方向外方に位置して横方向へ延びる一対のエンドフラップと、前記コアの両側縁の横方向外方に位置して縦方向へ延びる一対のサイドフラップとが形成され、前記後胴周り域のサイドフラップに横方向へ延びるテープファスナが取り付けられ、着用時に排泄物を吸収保持する排泄物処理パッドを前記表面シート上に載せ、前記テープファスナを前記前胴周り域の外面に止着して前記前後胴周り域を連結するオープン型の使い捨ておむつにおいて、
前記コアの中央域に画成される空洞と該空洞に位置する前記表裏面シートの部分とから形成されて縦方向へ延びるパッド配置部が、前記前後胴周り域と前記股下域とのうちの少なくとも該股下域の横方向中央に設けられ、前記配置部が、前記後胴周り域の側に位置する該配置部の後端縁から二股に分かれて前記テープファスナに向かって延びる一対の第１延長部分を有することを特徴とする前記おむつ。
【請求項２】
前記パッド配置部が、前記前胴周り域の側に位置する該配置部の前端縁から二股に分かれて該前胴周り域のエンドフラップとサイドフラップとが交差する両角部に向かって延びる一対の第２延長部分を有する請求項１に記載のおむつ。
【請求項３】
前記パッド配置部の両側縁近傍に位置して縦方向へ延びる伸縮性弾性部材が、該配置部に収縮可能に取り付けられている請求項１または請求項２に記載のおむつ。
【請求項４】
前記伸縮性弾性部材が、前記パッド配置部を縦断し、前記弾性部材の縦方向両端部が、前記前後胴周り域に位置する前記コアの下面の側に延びている請求項３に記載のおむつ。
【請求項５】
前記伸縮性弾性部材が、前記パッド配置部の横方向内方へ向かって弧を画き、前記弾性部材の横方向の離間寸法が、前記配置部の縦方向中央で最小になっている請求項３または請求項４に記載のおむつ。
【請求項６】
前記伸縮性弾性部材が、前記パッド配置部の第１および第２延長部分に延在している請求項３ないし請求項５いずれかに記載のおむつ。
【請求項７】
前記伸縮性弾性部材の伸長応力が、０．０５〜４．０Ｎの範囲にある請求項３ないし請求項６いずれかに記載の着用物品。
【請求項８】
前記表面シートが、前記パッド配置部を囲む前記コアの内周壁に沿って該コアの上面から下面に向かって延び、前記パッド配置部に位置する前記表裏面シートが、前記コアの下面の側で互いに固着され、前記コアの厚み寸法に比例した段差が、前記コアの上面と前記配置部との間に形成されている請求項１ないし請求項７いずれかに記載のおむつ。
【手続補正２】
【補正対象書類名】明細書
【補正対象項目名】全文
【補正方法】変更
【補正の内容】
【発明の詳細な説明】
【技術分野】
【０００１】
本発明は、排泄物を吸収保持する排泄物処理パッドを乗せ、パッドとともに着用するオープン型の使い捨ておむつに関する。
【背景技術】
【０００２】
縦方向に前胴周り域および後胴周り域と、それら胴周り域の間に位置する股下域とを有し、透液性表面シートおよび不透液性裏面シートと、それらシートの間に介在して前後胴周り域間に延びる所定厚みの吸液性コアとから構成され、コアの両端縁の縦方向外方に位置して横方向へ延びる一対のエンドフラップと、コアの両側縁の横方向外方に位置して縦方向へ延びる一対のサイドフラップとが形成され、排泄物を吸収保持するパッドを表面シート上に乗せてパッドとともに着用するオープン型の使い捨ておむつがある（特許文献１参照）。
【０００３】
このおむつの股下域の横方向中央には、パッドを配置する凹陥領域が形成されている。凹陥領域は、コアを除く表裏面シートから形成され、縦方向へ長い楕円形を呈する。凹陥領域の周縁には、環状に延びる伸縮性弾性部材が収縮可能に取り付けられている。後胴周り域のサイドフラップには、横方向へ延びるテープファスナが取り付けられている。おむつでは、弾性部材の収縮力が凹陥領域の面積を縮小させるように作用し、その作用によって凹陥領域がおむつの厚み方向下方へ向かって凹むので、パッドを凹陥領域に嵌め込むことができ、おむつの着用中におけるパッドのずれ動きを防ぐことができる。このおむつを着用するには、凹陥領域にパッドを嵌め込んだ後、後胴周り域のサイドフラップを前胴周り域のサイドフラップの外側に重ね合わせ、テープファスナを横方向外方へ引っ張りながらテープファスナの自由端部を前胴周り域の外面に止着して前後胴周り域を連結する。前後胴周り域が連結されたおむつには、胴周り開口と一対の脚周り開口とが形成される。
【特許文献１】特開２００３−１１６９１０号公報
【発明の開示】
【発明が解決しようとする課題】
【０００４】
特許文献１に開示のおむつでは、テープファスナの自由端部を前胴周り域の外面に止着するおむつの着用時に後胴周り域のサイドフラップが横方向外方へ引っ張られ、テープファスナを介して前後胴周り域を連結したおむつの着用中に前後胴周り域のサイドフラップどうしが互いに引き合ってそれらフラップが横方向外方へ引っ張られる。しかし、このおむつは、その着用時や着用中にサイドフラップが横方向外方へ引っ張られたとしても、サイドフラップに作用する張力が楕円形を呈する凹陥領域に伝わり難く、凹陥領域が横方向外方へ引っ張られることがないので、凹陥領域を緊張させることができない。このおむつは、その着用時や着用中に凹陥領域がおむつの厚み方向下方へたるんだままとなり、凹陥領域に嵌め込まれたパッドを着用者の肌に押し当てることができず、パッドを着用者の肌に密着させることができない。パッドが着用者の肌に密着しないと、パッドと肌との間に隙間が生じ、パッドに排泄物を吸収、保持させることができない場合がある。
【０００５】
本発明の目的は、排泄物処理パッドを着用者の肌に密着させることができ、パッドに排泄物を確実に吸収保持させることができるオープン型の使い捨ておむつを提供することにある。
【課題を解決するための手段】
【０００６】
前記課題を解決するための本発明の前提は、縦方向に前胴周り域および後胴周り域と、それら胴周り域の間に位置する股下域とを有し、肌当接側に位置する透液性表面シートと、肌非当接側に位置する不透液性裏面シートと、それらシートの間に介在して前後胴周り域間に延びる所定厚みの吸液性コアとから構成され、コアの両端縁の縦方向外方に位置して横方向へ延びる一対のエンドフラップと、コアの両側縁の横方向外方に位置して縦方向へ延びる一対のサイドフラップとが形成され、後胴周り域のサイドフラップに横方向へ延びるテープファスナが取り付けられ、着用時に排泄物を吸収保持する排泄物処理パッドを表面シート上に載せ、テープファスナを前胴周り域の外面に止着して前後胴周り域を連結するオープン型の使い捨ておむつである。
【０００７】
前記前提における本発明の特徴は、コアの中央域に画成される空洞と該空洞に位置する表裏面シートの部分とから形成されて縦方向へ延びるパッド配置部が前後胴周り域と股下域とのうちの少なくとも該股下域の横方向中央に設けられ、パッド配置部が後胴周り域の側に位置する該パッド配置部の後端縁から二股に分かれてテープファスナに向かって延びる一対の第１延長部分を有することにある。
【０００８】
本発明は、以下の実施態様を有する。
（１）本発明の実施態様の一例は、パッド配置部が前胴周り域の側に位置する該パッド配置部の前端縁から二股に分かれて該前胴周り域のエンドフラップとサイドフラップとが交差する両角部に向かって延びる一対の第２延長部分を有する。
（２）本発明の実施態様の他の一例は、パッド配置部の両側縁近傍に位置して縦方向へ延びる伸縮性弾性部材が該配置部に収縮可能に取り付けられている。
（３）本発明の実施態様の他の一例は、伸縮性弾性部材がパッド配置部を縦断し、弾性部材の縦方向両端部が前後胴周り域に位置するコアの下面の側に延びている。
（４）本発明の実施態様の他の一例は、伸縮性弾性部材がパッド配置部の横方向内方へ向かって弧を画き、弾性部材の横方向の離間寸法がパッド配置部の縦方向中央で最小になっている。
（５）本発明の実施態様の他の一例は、伸縮性弾性部材がパッド配置部の第１および第２延長部分に延在している。
（６）本発明の実施態様の他の一例は、伸縮性弾性部材の伸長応力が０．０５〜４．０Ｎの範囲にある。
（７）本発明の実施態様の他の一例は、表面シートがパッド配置部を囲むコアの内周壁に沿って該コアの上面から下面に向かって延び、パッド配置部に位置する表裏面シートがコアの下面の側で互いに固着され、コアの厚み寸法に比例した段差がコアの上面とパッド配置部との間に形成されている。
【発明の効果】
【０００９】
本発明に係る使い捨ておむつによれば、テープファスナの自由端部を前胴周り域の外面に止着するおむつの着用時やテープファスナを介して前後胴周り域を連結したおむつの着用中に、後胴周り域のサイドフラップに作用する横方向外方への張力が第１延長部分に伝わって後胴周り域の側に延びる配置部が引っ張られ、配置部が緊張することによって配置部に乗せられたパッドが着用者の肌に押し当てられる。ここで、配置部が緊張するとは、配置部のたるみや皺が伸ばされて配置部がぴんと張ることをいう。このおむつは、その着用時や着用中にパッドを着用者の肌に密着させることができ、パッドと着用者の肌との間に隙間が生じることはなく、パッドに排泄物を確実に吸収、保持させることができる。
【００１０】
パッド配置部が前胴周り域の側に位置する配置部の前端縁から二股に分かれて前胴周り域のエンドフラップとサイドフラップとが交差する両角部に向かって延びる一対の第２延長部分を有するおむつは、その着用時や着用中に後胴周り域のサイドフラップに作用する横方向外方への張力が第１延長部分に伝わるとともに、おむつの着用中に前胴周り域のサイドフラップに作用する横方向外方への張力が第２延長部分に伝わって前後胴周り域の側に延びる配置部が引っ張られ、配置部が緊張することよって配置部に乗せられたパッドが着用者の肌に押し当てられる。このおむつは、その着用時や着用中にパッドを着用者の肌に密着させることができ、パッドと着用者の肌との間に隙間が生じることはなく、パッドに排泄物を確実に吸収、保持させることができる。
【００１１】
パッド配置部の両側縁近傍に位置して縦方向へ延びる伸縮性弾性部材が配置部に収縮可能に取り付けられたおむつは、弾性部材の収縮力によって配置部が着用者の肌に向かって持ち上げられ、配置部に乗せられたパッドが着用者の肌に押し当てられるので、パッドを着用者の肌に確実に密着させることができ、排泄物をパッドに確実に吸収、保持させることができる。このおむつは、その着用時や着用中にサイドフラップに作用する張力を介してパッド配置部が引っ張られ、配置部が緊張することによって弾性部材が伸長するので、配置部の緊張と配置部に作用する弾性部材の収縮力とを利用してパッドを着用者の肌に確実に密着させることができる。
【００１２】
伸縮性弾性部材がパッド配置部を縦断し、弾性部材の縦方向両端部が前後胴周り域に位置するコアの下面の側に延びているおむつは、配置部の緊張と弾性部材の収縮力とを利用してパッドを着用者の肌に密着させることができるのみならず、弾性部材の収縮力によって前後胴周り域に位置するコアが着用者の肌に押し当てられ、コアを着用者の肌に密着させることができる。このおむつは、パッドから排泄物が漏れたとしても、排泄物を前後胴周り域のコアに吸収、保持させることができ、おむつの外側への排泄物の漏れを防ぐことができる。
【００１３】
伸縮性弾性部材がパッド配置部の横方向内方へ向かって弧を画き、弾性部材の横方向の離間寸法が配置部の縦方向中央で最小になっているおむつは、伸縮性弾性部材の収縮力が配置部全体に作用し、弾性部材の収縮力によって配置部全体が着用者の肌に向かって持ち上げられ、配置部に乗せられたパッド全体が着用者の肌に押し当てられるので、パッド全体を着用者の肌に密着させることができ、排泄物をパッドに確実に吸収、保持させることができる。このおむつは、その着用時や着用中にパッド配置部が横方向外方へ引っ張られて緊張し、それによって弾性部材が着用者の股間部の湾曲に沿って伸長するので、配置部の緊張と配置部に作用する弾性部材の収縮力とを利用してパッドを着用者の肌に確実に密着させることができる。
【００１４】
伸縮性弾性部材がパッド配置部の第１および第２延長部分に延在しているおむつは、その着用時や着用中にサイドフラップから第１および第２延長部分に伝わる張力が弾性部材に作用し、それによって弾性部材が伸長するので、配置部の緊張と配置部に作用する弾性部材の収縮力とを利用してパッドを着用者の肌に確実に密着させることができる。
【００１５】
伸縮性弾性部材の伸長応力が０．０５〜４．０Ｎの範囲にあるおむつでは、弾性部材の収縮力がパッド配置部に十分に作用し、弾性部材の収縮力によって配置部を着用者の肌に向かって確実に持ち上げることができ、パッドを着用者の肌に確実に密着させることができる。
【００１６】
コアの厚み寸法に比例した段差がコアの上面とパッド配置部との間に形成されたおむつでは、パッドに着用者の体圧がかかると、パッドをおむつの厚み方向下方へ押し下げる力がパッドに作用し、パッドが段差に沿っておむつの厚み方向下方へ下がるので、パッドが嵩張ることはなく、着用したおむつに対する違和感がない。このおむつは、その着用中にパッド配置部が引っ張られ、配置部の緊張状態が維持されるので、パッドにかかる着用者の体圧が解除されると、パッドが再びおむつの厚み方向上方へ上がり、パッドが着用者の肌に密着する。このおむつは、その着用中に着用者の肌に対するパッドの密着状態を維持することができ、排泄物をパッドに確実に吸収、保持させることができる。
【発明を実施するための最良の形態】
【００１７】
添付の図面を参照し、本発明に係る使い捨ておむつの詳細を説明すると、以下のとおりである。
【００１８】
図１，２は、パッド３６を配置部３９に乗せた状態で示す使い捨ておむつ２０Ａの斜視図と、パッド３６の図示を省略した図１のおむつ２０Ａの部分破断平面図とであり、図３，４は、図１の３−３線矢視断面図と、図１の４−４線矢視断面図とである。図１，２では、横方向を矢印Ｌ、縦方向を矢印Ｍで示し、厚み方向を矢印Ｎ（図１のみ）で示す。図２は、伸縮性弾性部材４８，５１，５４の収縮力に抗しておむつ２０Ａを縦横方向へ展開させた状態で示す。なお、おむつ２０Ａの構成部材である表裏面シート２４，２５や防漏シート３１の内面とはコア２６に対向する面をいい、それらシート２４，２５，３１の外面とはコア２６に非対向の面をいう。コア２６の上面とは表面シート２４に対向する面をいい、コア２６の下面とは裏面シート２５に対向する面をいう。また、パッド３６の構成部材である表面シート５８や裏面シート５９の内面とはコア６０に対向する面をいい、それらシート５８，５９の外面とはコア６０に非対向の面をいう。
【００１９】
おむつ２０Ａは、縦方向に前胴周り域２１および後胴周り域２３と、それら胴周り域２１，２３の間に位置する股下域２２とを有する。おむつ２０Ａは、肌当接側に位置する透液性表面シート２４と、肌非当接側に位置する不透液性裏面シート２５と、表裏面シート２４，２５の間に介在して前後胴周り域２１，２３間に延びる所定厚みの吸液性コア２６とから構成されている。おむつ２０Ａには、コア２６の両端縁２７の縦方向外方に位置して横方向へ延びる一対のエンドフラップ２９と、コア２６の両側縁２８の横方向外方に位置して縦方向へ延びる一対のサイドフラップ３０とが形成されている。
【００２０】
サイドフラップ３０には、互いに離間対向して縦方向へ延びる一対の不透液性防漏シート３１が取り付けられている。股下域２２のサイドフラップ３０は、おむつ２０Ａの横方向内方へ向かって弧を画いている。おむつ２０Ａは、図２に示すように、その平面形状が砂時計型を呈する。後胴周り域２３のサイドフラップ３０Ｂには、横方向へ延びるテープファスナ３２が取り付けられている。テープファスナ３２は、固定端部３３と自由端部３４とを有する。前胴周り域２１には、テープファスナ３２の自由端部３４を着脱可能に止着するターゲットテープ３５が取り付けられている。おむつ２０Ａは、その着用時にテープファスナ３２を介して前後胴周り域２１，２３を連結するオープン型であり、図１に示すように、排泄物を吸収保持する排泄物処理パッド３６を後記するパッド配置部３９に載せてパッド３６とともに着用する。
【００２１】
表面シート２４は、親水性繊維不織布から形成されている。裏面シート２５は、疎水性繊維不織布３７と通気不透液性プラスチックフィルム３８とをラミネートした複合シートから形成されている。防漏シート３１は、撥水処理が施された疎水性繊維不織布から形成されている。コア２６は、粒子状や繊維状の高吸収性ポリマーとフラッフパルプとの混合物、または、粒子状や繊維状の高吸収性ポリマーとフラッフパルプと熱可塑性合成樹脂繊維との混合物である。コア２６は、所定の厚みに圧縮され、その剛性が表裏面シート２４，２５や防漏シート３１のそれよりも高い。コア２６は、その型崩れを防止するため、全体がティッシュペーパー（図示せず）に包被されている。コア２６は、表裏面シート２４，２５の内面に接合されている。
【００２２】
股下域２２の横方向中央には、縦方向へ延びるパッド配置部３９が形成されている。パッド配置部３９は、コア２６の中央域に画成される空洞３９ａの内周縁と該空洞に位置する表裏面シート２４，２５の部分とによって形成されている。空洞３９ａの周縁は、前胴周り域２１の側に位置して横方向へ延びる前端縁４０と、後胴周り域２３の側に位置して横方向へ延びる後端縁４１と、前後端縁４０，４１間に位置して縦方向へ延びる両側縁４２とによって形成されている。配置部３９は、その後端縁４１から二股に分かれてテープファスナ３２に向かって延びる一対の第１延長部分４３を有する。延長部分４３は、配置部３９の後端縁４１からテープファスナ３２に向かっておむつ２０Ａの横寸法を二分する縦中心線Ｍ１から次第に離間するように傾斜して延びている。延長部分４３は、配置部３９の後端縁４１からテープファスナ３２に向かって先細りを呈する。延長部分４３を含む配置部３９は、コア２６を除く表面シート２４と裏面シート２５とから形成され、コア２６の内周壁４４に囲まれている。延長部分４３を含む配置部３９の剛性は、コア２６が存在する部位に比較して低い。
【００２３】
配置部３９では、表面シート２４が配置部３９を囲むコア２６の内周壁４４に沿ってコア２６の上面から下面に向かって延び、表面シート２４の内面がコア２６の内周壁４４に固着されている。配置部３９を形成する表面シート２４と裏面シート２５とは、コア２６の下面の側においてそれらシート２４，２５の内面どうしが断続的に固着されている。配置部３９は、おむつ２０Ａの厚み方向下方へ凹んでいる。コア２６の上面と配置部３９との間には、コア２６の厚み寸法に比例した段差Ｎ１が形成されている。
【００２４】
防漏シート３１は、表面シート２４の外面の側に配置されている。防漏シート３１は、サイドフラップ３０に位置して縦方向へ延びる固定側部４５と、固定側部４５に並行して縦方向へ延びていて表面シート２４の上方へ起立性向を有する自由部４６と、エンドフラップ２９に位置しておむつ２０Ａの横方向内方へ倒伏した固定両端部４７とから形成されている。固定側部４５と自由部４６とは、エンドフラップ２９間に延びている。自由部４６の上方には、縦方向へ延びる伸縮性弾性部材４８が収縮可能に取り付けられている。弾性部材４８は、縦方向へ所定の倍率に伸長された状態で自由部４６に固着されている。おむつ２０Ａが表面シート２４を内側にして垂直方向へ湾曲すると、弾性部材４８が収縮して自由部４６が縦方向へ縮み、自由部４６が表面シート２４の上方へ起立して排泄物に対する障壁を形成する。
【００２５】
エンドフラップ２９は、コア２６の端縁２７から縦方向外方へ延びる表裏面シート２４，２５の端部４９，５０と防漏シート３１の固定端部４７とから形成されている。エンドフラップ２９では、表裏面シート２４，２５の端部４９，５０と防漏シート３１の端部４７とが重なり合い、表裏面シート２４，２５の内面どうしが固着され、表面シート２４の外面と防漏シート３１の内面とが固着されている。後胴周り域２３のエンドフラップ２９には、横方向へ延びる複数条の胴周り用弾性部材５１が収縮可能に取り付けられている。胴周り用弾性部材５１は、表面シート２４の端部４９と裏面シート２５の端部５０との間に介在し、横方向へ所定の倍率に伸長させた状態でそれらシート２４，２５の内面に固着されている。
【００２６】
サイドフラップ３０は、コア２６の側縁２８から横方向外方へ延びる表裏面シート２４，２５の側部５２，５３と防漏シート３１の固定側部４５とから形成されている。サイドフラップ３０では、表面シート２４の側部５２がコア２６の側縁２８から横方向外方へわずかに延び、側部５２からさらに横方向外方へ裏面シート２５の側部５３と防漏シート３１の側部４５とが延びている。サイドフラップ３０では、表裏面シート２４，２５の側部５２，５３と防漏シート３１の側部４５とが重なり合い、表裏面シート２４，２５の内面どうしが固着され、表裏面シート２４，２５の内外面と防漏シート３１の内面とが固着されている。サイドフラップ３０には、縦方向へ延びる複数条の脚周り用弾性部材５４が収縮可能に取り付けられている。脚周り用弾性部材５４は、裏面シート２５の側部５３と防漏シート３１の固定側部４５との間に介在し、縦方向へ所定の倍率に伸長させた状態でそれらシート２５，３１の内面に固着されている。
【００２７】
テープファスナ３２は、繊維不織布から形成されている。テープファスナ３２の固定端部３３は、裏面シート２５の側部５３と防漏シート３１の固定側部４５との間に介在し、それらシート２５，３１の内面に固着されている。テープファスナ３２の自由端部３４には、フック部材５５が取り付けられている。図１では、自由端部３４がおむつ２０Ａの横方向内方へ折り曲げられ、自由端部３４がフック部材５５を介してサイドフラップ３０Ｂ（防漏シート３１の外面）に仮着されている。なお、自由端部３４には、フック部材５５ではなく、剥離紙に被覆された感圧型接着剤が塗布されていてもよい。ターゲットテープ３５は、横方向へ長い矩形を呈し、ベース５６と、ベース５６から隆起するループ要素５７とから形成されている。ターゲットテープ３５は、そのベース５６が裏面シート２５の外面に固着されている。テープファスナ３２の自由端部３４に感圧型接着剤を塗布する場合は、ターゲットテープ３５にプラスチックフィルムが使用される。
【００２８】
パッド３６は、肌当接側に位置する透液性表面シート５８と、肌非当接側に位置する不透液性裏面シート５９と、表裏面シート５８，５９の間に介在してそれらシート５８，５９の内面に接合された所定厚みの吸液性コア６０とから形成されている。パッド３６は、縦方向へ長い矩形を呈し、横方向へ延びる両端部６１と、縦方向へ延びる両側部６２とを有する。両端部６１と両側部６２とでは、表裏面シート５８，５９が互いに重なり合い、それらシート５８，５９の内面どうしが固着されている。表面シート５８は親水性繊維不織布から形成され、裏面シート５９は疎水性繊維不織布から形成されている。コア６０は、おむつ２０Ａのそれと同一の混合物であって、その全体がティッシュペーパー（図示せず）に包被されている。なお、パッド３６は、吸液性コア６０と、コア６０の全体を包被する透液性シートとから形成されていてもよい。
【００２９】
図５は、おむつ２０Ａの着用手順を説明する斜視図である。図５は、おむつ２０Ａを後胴周り域２３の側から示している。図５では、テープファスナ３２の一方がターゲットテープ３５に止着されている。なお、着用者の図示は省略している。このおむつ２０Ａを着用する手順は、以下のとおりである。おむつ２０Ａの表面シート２４とパッド３６の裏面シート５９とが当接するように、パッド３６を配置部３９に重ね合せる。パッド３６を配置部３９に載せた後、着用者の臀部を後胴周り域２３に重ね合せ、股下域２２を折り曲げて前胴周り域２１を着用者の腹部の上に乗せる。次に、テープファスナ３２の自由端部３４を指で摘持し、テープファスナ３２を横方向外方へ引っ張りながら後胴周り域２３のサイドフラップ３０Ｂを前胴周り域２１のサイドフラップ３０Ａの外側に重ね合わせ、フック部材５５を介してテープファスナ３２の自由端部３４をターゲットテープ３５（前胴周り域２１の外面）に止着して前胴周り域２１と後胴周り域２３とを連結する。前後胴周り域２１，２３が連結されたおむつ２０Ａには、胴周り開口６３とその下方に一対の脚周り開口６４とが形成される。おむつ２０Ａを着用すると、前胴周り域２１が着用者の腹部に当接し、股下域２２が股間部に当接するとともに、後胴周り域２３が臀部と背部とに当接する。
【００３０】
テープファスナ３２をターゲットテープ３５に止着するおむつ２０Ａの着用時には、後胴周り域２３のサイドフラップ３０Ｂが図５に矢印Ｌ１で示す横方向外方へ引っ張られ、サイドフラップ３０Ｂに作用する横方向外方への張力が第１延長部分４３に伝わる。また、テープファスナ３２を介して前後胴周り域２１，２３を連結したおむつ２０Ａの着用中では、前後胴周り域２１，２３のサイドフラップ３０Ａ，３０Ｂどうしが互いに引き合うことで、それらサイドフラップ３０Ａ，３０Ｂが図５に矢印Ｌ１，Ｌ２で示す横方向外方へ引っ張られ、サイドフラップ３０Ｂに作用する横方向外方への張力が第１延長部分４３に伝わる。おむつ２０Ａでは、第１延長部分４３を含むパッド配置部３９の剛性がコア２６の存在部位のそれよりも低く、延長部分４３がテープファスナ３２に向かって延びているので、おむつ２０Ａの着用時や着用中にサイドフラップ３０Ｂに作用する張力がサイドフラップ３０Ｂから延長部分４３に容易に伝わり、その張力によって配置部３９が引っ張られて緊張し（配置部３９のたるみや皺が伸ばされて配置部３９がぴんと張る）、配置部３９の緊張にともなってパッド３６が着用者の肌に押し当てられる。おむつ２０Ａの着用中に排泄された排泄物は、パッド３６の表面シート５８を透過してコア６０に吸収される。
【００３１】
おむつ２０Ａは、その着用時や着用中にパッド３６が着用者の肌に押し当てられるので、パッド３６を着用者の肌に密着させることができ、パッド３６と着用者の肌との間に隙間が生じることはなく、パッド３６に排泄物を確実に吸収、保持させることができる。おむつ２０Ａは、配置部３９の周りにコア２６が存在するので、パッド３６から排泄物が漏れたとしても、排泄物をおむつ２０Ａのコア２６に吸収、保持させることができ、おむつ２０Ａの外側への排泄物の漏れを防ぐことができる。
【００３２】
おむつ２０Ａでは、パッド３６に着用者の体圧がかかると、パッド３６をおむつ２０Ａの厚み方向下方へ押し下げる力がパッド３６に作用し、パッド３６が段差Ｎ１に沿っておむつ２０Ａの厚み方向下方へ下がるので、パッド３６が嵩張ることはなく、着用したおむつ２０Ａに対する違和感がない。おむつ２０Ａは、その着用中にパッド配置部３９が引っ張られ、配置部３９の緊張状態が維持されるので、パッド３６にかかる着用者の体圧が解除されると、パッド３６が再びおむつ２０Ａの厚み方向上方へ上がり、パッド３６が着用者の肌に密着する。
【００３３】
おむつ２０Ａでは、第１延長部分４３を含むパッド配置部３９の剛性値が０．１〜２．０ｍＮ・ｃｍの範囲、好ましくは、０．８〜１．５ｍＮ・ｃｍの範囲にある。配置部３９の剛性値が２．０ｍＮ・ｃｍを超過すると、サイドフラップ３０Ｂに作用する張力が配置部３９に伝わったとしても、その張力によって配置部３９を緊張させることが難しく、パッド３６を着用者の肌に押し当てることができない場合がある。なお、配置部３９の剛性値は、ガーレ法（ＪＩＳ Ｌ １０９６−０１−８.２０.１）に準拠して測定した。その測定方法は、以下のとおりである。
（１）おむつ２０Ａから配置部３９を裁断し、縦寸法２５．０ｍｍ×横寸法３８．０ｍｍの測定用サンプルを作成した。剛性値の測定には、ガーレ柔軟度試験機を使用した。
（２）サンプルの縦方向一端部を試験機のチャックに挟み、サンプルの縦方向他端部を試験機の振り子にかけ、試験機の目盛りが３〜６の間になるように補助重りを取り付けた。試験機のスイッチを入れ、サンプルから振り子の回転ロッドが離れる瞬間の目盛りを読み、第１剛性値を測定した。次に、サンプルの縦方向他端部を試験機のチャックに挟み、サンプルの縦方向一端部を試験機の振り子にかけ、試験機の目盛りが３〜６の間になるように補助重りを取り付けた。試験機のスイッチを入れ、サンプルから振り子の回転ロッドが離れる瞬間の目盛りを読み、第２剛性値を測定した。測定した第１および第２剛性値の平均をサンプルの剛性値とした。測定したサンプルの剛性値は０．１〜２．０ｍＮ・ｃｍであり、サンプルの剛性値を配置部３９の剛性値とした。
【００３４】
図６，７は、パッド３６を配置部３９に載せた状態で示す他の一例のおむつ２０Ｂの斜視図と、パッド３６の図示を省略した図６のおむつ２０Ｂの部分破断平面図とであり、図８，９は、図６の８−８線矢視断面図と、図６の９−９線矢視断面図とである。図６，７では、横方向を矢印Ｌ、縦方向を矢印Ｍで示し、厚み方向を矢印Ｎ（図６のみ）で示す。図７は、伸縮性弾性部材４８，５１，５４，６６の収縮力に抗しておむつ２０Ｂを縦横方向へ展開させた状態で示す。
【００３５】
おむつ２０Ｂは、その着用時にテープファスナ３２を介して前後胴周り域２１，２３を連結するオープン型であり、排泄物処理パッド３６をパッド配置部３９に載せてパッド３６とともに着用する。おむつ２０Ｂは、透液性表面シート２４および不透液性裏面シート２５と、表裏面シート２４，２５の間に介在して前後胴周り域２１，２３間に延びる吸液性コア２６とから構成され、サイドフラップ３０に縦方向へ延びる一対の不透液性防漏シート３１が取り付けられている点において図１のおむつ２０Ａと同一である。このおむつ２０Ｂが図１のそれと異なるのは、配置部３９が第２延長部分６６を有する点と、配置部３９に伸縮性弾性部材６７，６８が取り付けられている点とであり、その他の構成は図１のおむつ２０Ａと同一であるので、図１−５のおむつ２０Ａと同一の符合を付してその他の構成の説明は省略する。
【００３６】
パッド配置部３９は、その前端縁４０から二股に分かれて前胴周り域２１のエンドフラップ２９とサイドフラップ３０Ａとが交差する両角部６５に向かって延びる一対の第２延長部分６６とを有する。
【００３７】
配置部３９の両側縁４２近傍には、伸縮性第１弾性部材６７（伸縮性弾性部材）と伸縮性第２弾性部材６８（伸縮性弾性部材）とが収縮可能に取り付けられている。それら弾性部材６７，６８は、横方向へ離間対向して縦方向へ延びている。弾性部材６７，６８は、前後端縁４０，４１間に位置して第１および第２延長部分４３，６６近傍に達している。それら弾性部材６７，６８は、表面シート２４と裏面シート２５との間に介在し、縦方向へ所定の倍率に伸長させた状態でそれらシート２４，２５の内面に固着されている。
【００３８】
図１０は、前胴周り域２１の側から示す着用状態のおむつ２０Ｂの斜視図である。このおむつ２０Ｂの着用手順は図５のそれと同一であるので、その説明は省略する。テープファスナ３２をターゲットテープ３５に止着するおむつ２０Ｂの着用時には、後胴周り域２３のサイドフラップ３０Ｂが図５に矢印Ｌ１で示す横方向外方へ引っ張られ、サイドフラップ３０Ｂに作用する横方向外方への張力が第１延長部分４３に伝わる。また、テープファスナ３２を介して前後胴周り域２１，２３を連結したおむつ２０Ｂの着用中では、前後胴周り域２１，２３のサイドフラップ３０Ａ，３０Ｂどうしが互いに引き合うことで、それらサイドフラップ３０Ａ，３０Ｂが図５，１０に矢印Ｌ１，Ｌ２で示す横方向外方へ引っ張られ、それらサイドフラップ３０Ａ，３０Ｂに作用する横方向外方への張力が第１延長部分４３と第２延長部分６６とに伝わる。おむつ２０Ｂでは、第１および第２延長部分４３，６６を含むパッド配置部３９の剛性がコア２６の存在部位のそれよりも低く、延長部分４３がテープファスナ３２に向かって延び、延長部分６６が角部６５に向かって延びているので、おむつ２０Ｂの着用時や着用中にサイドフラップ３０Ａ，３０Ｂに作用する張力がサイドフラップ３０Ａ，３０Ｂからそれら延長部分４３，６６に容易に伝わり、その張力によって配置部３９が引っ張られて緊張し、配置部３９の緊張にともなってパッド３６が着用者の肌に押し当てられる。おむつ２０Ｂの着用中に排泄された排泄物は、パッド３６の表面シート５８を透過してコア６０に吸収される。
【００３９】
おむつ２０Ｂは、配置部３９の両側縁４２近傍に取り付けられた第１および第２弾性部材６７，６８の収縮力によってパッド配置部３９が着用者の肌に向かって持ち上げられ、配置部３９に載せられたパッド３６が着用者の肌に押し当てられるので、パッド３６を着用者の肌に確実に密着させることができ、排泄物をパッド３６に確実に吸収、保持させることができる。おむつ２０Ｂは、その着用時や着用中に配置部３９が横方向外方へ引っ張られて緊張し、それによって弾性部材６７，６８が伸長するので、配置部３９の緊張と配置部３９に作用する弾性部材６７，６８の収縮力とを利用してパッド３６を着用者の肌に確実に密着させることができる。
【００４０】
おむつ２０Ｂでは、第１および第２延長部分４３，６６を含むパッド配置部３９の剛性値が０．１〜２．０ｍＮ・ｃｍの範囲、好ましくは、０．８〜１．５ｍＮ・ｃｍの範囲にある。配置部３９の剛性値が０．１ｍＮ・ｃｍ未満では、弾性部材６７の伸長応力にもよるが、弾性部材６７，６８の収縮力によって配置部３９が縦方向へ必要以上に縮み、サイドフラップ３０Ａ，３０Ｂに作用する張力が配置部３９に伝わったとしても、配置部３９を十分に緊張させることができず、パッド３６を着用者の肌に押し当てることができない。配置部３９の剛性値が２．０ｍＮ・ｃｍを超過すると、サイドフラップ３０Ａ，３０Ｂに作用する張力が配置部３９に伝わったとしても、その張力によって配置部３９を緊張させることが難しく、パッド３６を着用者の肌に押し当てることができない場合がある。なお、配置部３９の剛性値は、ガーレ法（ＪＩＳ Ｌ １０９６−０１−８.２０.１）に準拠して測定した。その測定方法は、図１のそれと同一である。
【００４１】
おむつ２０Ｂでは、弾性部材６７，６８の伸長応力が０．０５〜４．０Ｎの範囲、好ましくは、０．０８〜４．０Ｎの範囲にある。弾性部材６７，６８の伸長応力は、弾性部材１本の伸長応力である。弾性部材６７，６８の伸長応力が０．０５Ｎ未満では、配置部３９の剛性値にもよるが、弾性部材６７，６８の収縮力が配置部３９に十分に作用せず、弾性部材６７，６８の収縮力を利用して配置部３９を着用者の肌に向かって持ち上げることができず、パッド３６を着用者の肌に押し当てることができない。弾性部材６７，６８の伸長応力が４．０Ｎを超過すると、弾性部材６７，６８の収縮力によって配置部３９が縦方向へ必要以上に縮み、サイドフラップ３０Ａ，３０Ｂに作用する張力が配置部３９に伝わったとしても、配置部３９を十分に緊張させることができず、パッド３６を着用者の肌に押し当てることができない。なお、弾性部材６７，６８の伸長応力は、以下の方法で測定した。
（１）おむつ２０Ｂに使用した弾性部材と同一のそれを測定用サンプル（１本）として用意した。伸長応力測定には、島津製作所社製の引張り試験機を使用した。
（２）サンプルの縦方向両端部を引張り試験機のチャックで挟み（チャックによるサンプルの挟み寸法：約１０ｍｍ、サンプルのチャック間寸法：約１００ｍｍ）、１００ｍｍ／ｍｉｎの速度でサンプルを縦方向へ引っ張り、サンプルを３００％まで伸長させた後、伸長状態を解除した。再度、試験機を介して１００ｍｍ／ｍｉｎの速度でサンプルを縦方向へ引っ張り、サンプルを２００％まで伸長させ、そのときの試験機にかかる力を測定した。サンプルの伸長応力は０．０５〜４．０Ｎであり、サンプルの伸長応力を弾性部材６７，６８の１本の伸長応力とした。ここで、サンプルを２００％まで伸長させるとは、たとえば、サンプルのチャック間寸法が１００ｍｍの場合、サンプルを１００ｍｍに２．０を乗じた値である約２００ｍｍまで伸ばすことである。
【００４２】
図１１，１２は、パッド３６を配置部３９に載せた状態で示す他の一例のおむつ２０Ｃの斜視図と、パッド３６の図示を省略した図１１のおむつ２０Ｃの部分破断平面図とであり、図１３，１４は、図１１の１３−１３線矢視断面図と、図１１の１４−１４線矢視断面図とである。図１１，１２では、横方向を矢印Ｌ、縦方向を矢印Ｍで示し、厚み方向を矢印Ｎ（図１１のみ）で示す。図１２は、伸縮性弾性部材４８，５１，５４，６６の収縮力に抗しておむつ２０Ｃを縦横方向へ展開させた状態で示す。
【００４３】
おむつ２０Ｃは、その着用時にテープファスナ３２を介して前後胴周り域２１，２３を連結するオープン型であり、排泄物処理パッド３６をパッド配置部３９に乗せてパッド３６とともに着用する。おむつ２０Ｃは、透液性表面シート２４および不透液性裏面シート２５と、表裏面シート２４，２５の間に介在して前後胴周り域２１，２３間に延びる吸液性コア２６とから構成され、サイドフラップ３０に縦方向へ延びる一対の不透液性防漏シート３１が取り付けられている点において図１−５のおむつ２０Ａと同一である。このおむつ２０Ｃが図１のそれと異なるのは、配置部３９が第２延長部分６６を有する点と、配置部３９に伸縮性弾性部材６７，６８が取り付けられている点とであり、その他の構成は図１のおむつ２０Ａと同一であるので、図１−５のおむつ２０Ａと同一の符合を付してその他の構成の説明は省略する。
【００４４】
弾性部材６７，６８は、配置部３９の横方向内方へ向かって弧を画き、横方向の離間寸法が配置部３９の縦方向中央で最小になっている。弾性部材６７，６８は、表面シート２４と裏面シート２５との間に介在し、縦方向へ所定の倍率に伸長させた状態でそれらシート２４，２５の内面に固着されている。両端部６９は、裏面シート２５とコア２６との間に介在し、シート２５の内面に固着されている。
【００４５】
おむつ２０Ｃは、弾性部材６７，６８が配置部３９の横方向内方へ向かって弧を画いているので、弾性部材６７，６８の収縮力が配置部３９全体に作用し、弾性部材６７，６８の収縮力によって配置部３９全体が着用者の肌に向かって持ち上げられ、配置部３９に乗せられたパッド３６全体が着用者の肌に押し当てられ、パッド３６全体を着用者の肌に確実に密着させることができ、排泄物をパッド３６に確実に吸収、保持させることができる。おむつ２０Ｃは、弾性部材６７，６８が第１および第２延長部分４３，６６に延在しているので、その着用時や着用中に第１および第２延長部分４３，６６に伝わる張力がそれら延長部分４３，６６から弾性部材６７、６８に作用し、それによって弾性部材６７，６８が着用者の股間部の湾曲に沿って伸長するので、配置部３９の緊張と配置部３９に作用する弾性部材６７，６８の収縮力とを利用してパッド３６を着用者の肌に確実に密着させることができる。
【００４６】
おむつ２０Ｃは、弾性部材６７，６８が配置部３９を縦断し、弾性部材６７，６８の縦方向両端部６９が前後胴周り域２１，２３に位置するコア２６の下面の側に延びているので、弾性部材６７，６８の収縮力によって前後胴周り域２１，２３に位置するコア２６が着用者の肌に押し当てられ、コア２６を着用者の肌に密着させることができる。おむつ２０Ｃは、パッド３６の両端部６１から排泄物が漏れたとしても、排泄物を前後胴周り域２１，２３のコア２６に吸収、保持させることができ、おむつ２０Ｃの外側への排泄物の漏れを防ぐことができる。
【００４７】
図１−５のおむつ２０Ａでは、配置部３９に図６−１０のおむつ２０Ｂと同一態様の弾性部材６７，６８が取り付けられていてもよく、配置部３９に図１１−１４のおむつ２０Ｃと同一態様の弾性部材６７，６８が取り付けられていてもよい。また、おむつ２０Ａでは、配置部３９がその前端縁４０から二股に分かれて前胴周り域２１のエンドフラップ２９とサイドフラップ３０Ａとが交差する両角部６５に向かって延びる一対の第２延長部分６６を有していてもよい。図６のおむつ２０Ｂでは、弾性部材６７，６８が配置部３９の横方向内方へ向かって弧を画いていてもよい。
【００４８】
それらおむつ２０Ａ，２０Ｂ，２０Ｃでは、配置部３９が股下域２２の横方向中央と前後胴周り域２１，２３の横方向中央とに延びていてもよい。この場合は、配置部３９が股下域２２から前胴周り域２１の後半分および後胴周り域２３の前半部に延びていることが好ましい。おむつ２０Ａ，２０Ｂ，２０Ｃは、配置部３９において裏面シート２５がコア２６の内周壁４４に沿ってコア２６の下面から上面に向かって延び、裏面シート２５の内面がコア２６の内周壁４４に固着され、配置部３９を形成する表裏面シート２４，２５がコア２６の上面の側において互いに固着されていてもよい。
【００４９】
表面シート２４，５８には、親水性繊維不織布の他に、微細な多数の開孔を有する疎水性繊維不織布を使用することもできる。裏面シート２５には、複合シートの他に、疎水性繊維不織布、通気不透液性プラスチックフィルム、２枚以上の疎水性繊維不織布をラミネートした複合不織布のいずれかを使用することもできる。裏面シート５９には、裏面シート２５と同様の複合シート、通気不透液性プラスチックフィルム、２枚以上の疎水性繊維不織布をラミネートした複合不織布のいずれかを使用することもできる。裏面シート２５，５９や防漏シート３１には、高い耐水性を有するメルトブローン不織布の両面または片面に高い強度と良好な柔軟性とを有するスパンボンド不織布を重ね合わせた複合不織布（ＳＭ不織布、ＳＭＳ不織布、ＳＭＭＳ不織布）を使用することもできる。弾性部材４８，５１，５４，６６には、天然ゴムまたは合成ゴムを使用することができる。
【００５０】
繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。
【００５１】
表裏面シート２４，２５どうしの固着、シート２４，２５に対するコア２６の接合、シート２４，２５に対する防漏シート３１の固着、シート２４，２５，３１に対する弾性部材４８，５１，５４，６６の固着には、接着剤、または、ヒートシールやソニックシール等の熱による溶着手段を利用することができる。接着剤には、ホットメルト型接着剤やアクリル系接着剤、ゴム系接着剤を使用することができる。
【００５２】
接着剤は、表面シート２４や裏面シート２５、防漏シート３１にスパイラル状や波状、ジグザグ状、ドット状、縞状のうちのいずれかの態様で塗布されていることが好ましい。接着剤をそれらの態様でシート２４，２５，３１に塗布すると、それらシート２４，２５，３１に接着剤が塗布された塗布域と接着剤が塗布されていない非塗布域とが形成され、それらシート２４，２５，３１どうしが断続的に固着され、コア２６がシート２４，２５に断続的に接合されるとともに、弾性部材４８，５１，５４，６６がシート２４，２５，３１に断続的に固着される。
【図面の簡単な説明】
【００５３】
【図１】パッドを配置部に乗せた状態で示す使い捨ておむつの斜視図。
【図２】パッドの図示を省略した図１のおむつの部分破断平面図。
【図３】図１の３−３線矢視断面図。
【図４】図１の４−４線矢視断面図。
【図５】おむつの着用手順を説明する斜視図。
【図６】パッドを配置部に乗せた状態で示す他の一例のおむつの斜視図。
【図７】パッドの図示を省略した図６のおむつの部分破断平面図。
【図８】図６の８−８線矢視断面図。
【図９】図６の９−９線矢視断面図。
【図１０】前胴周り域の側から示す着用状態のおむつの斜視図
【図１１】パッドを配置部に乗せた状態で示す他の一例のおむつの斜視図。
【図１２】パッドの図示を省略した図１１のおむつの部分破断平面図。
【図１３】図１１の１３−１３線矢視断面図。
【図１４】図１１の１４−１４線矢視断面図。
【符号の説明】
【００５４】
２０Ａ    使い捨ておむつ
２０Ｂ    使い捨ておむつ
２０Ｃ    使い捨ておむつ
２１    前胴周り域
２２    股下域
２３    後胴周り域
２４    透液性表面シート
２５    不透液性裏面シート
２６    吸液性コア
２７    両端縁
２８    両側縁
２９    エンドフラップ
３０    サイドフラップ
３２    テープファスナ
３５    ターゲットテープ
３６    排泄物処理パッド
３９    パッド配置部
３９ａ    空洞
４０    前端縁
４１    後端縁
４２    両側縁
４３    第１延長部分
４４    内周壁
６５    両角部
６６    第２延長部分
６７    伸縮性第１弾性部材（伸縮性弾性部材）
６８    伸縮性第２弾性部材（伸縮性弾性部材）
６９    縦方向両端部
Ｎ１    段差
【手続補正３】
【補正対象書類名】図面
【補正対象項目名】図２
【補正方法】変更
【補正の内容】
【図２】
2005323685.tif 000017